(57)【要約】【課題】選別するべき選別部とは異なる下流の選別部で硬貨を選別してしまうことを抑制することができる硬貨処理装置を提供する。【解決手段】搬送路２０１で搬送中の硬貨を識別する識別部２０２と、識別部２０２の識別結果に基づいて駆動されて対象硬貨を搬送路２０１から選別する上流側選別部２０５ａ〜２０５ｅと、上流側選別部２０５ａ〜２０５ｅの識別部２０２とは反対側に設けられて対象硬貨よりも小径の硬貨を搬送路２０１から選別する下流側選別部２０４ｂ〜２０４ｆとを有し、上流側選別部２０５ａ〜２０５ｅと下流側選別部２０４ｂ〜２０４ｆとの間に、下流側選別部２０４ｂ〜２０４ｆで選別する硬貨の径よりも大径の硬貨の下流側選別部２０４ｂ〜２０４ｆ側への移動を規制する規制ガイド２３３ａ〜２３３ｅが設けられている。【選択図】図１
2018106264.tif 000002
【特許請求の範囲】
【請求項１】
搬送路で搬送中の硬貨を識別する識別部と、
前記識別部の識別結果に基づいて駆動されて対象硬貨を前記搬送路から選別する上流側選別部と、
前記上流側選別部の前記識別部とは反対側に設けられて前記対象硬貨よりも小径の硬貨を前記搬送路から選別する下流側選別部とを有し、
前記上流側選別部と前記下流側選別部との間に、前記下流側選別部で選別する硬貨の径よりも大径の硬貨の前記下流側選別部側への移動を規制する規制ガイドが設けられていることを特徴とする硬貨処理装置。
【請求項２】
前記上流側選別部と前記下流側選別部との間には、前記搬送路で搬送中の硬貨が前記上流側選別部を通過して前記下流側選別部に至ることを検知する通過センサが設けられており、
前記通過センサは、前記規制ガイドで前記下流側選別部側への移動が規制された硬貨を検知することを特徴とする請求項１記載の硬貨処理装置。
【請求項３】
前記搬送路は、正回転時に硬貨を前記識別部から前記上流側選別部へ向けて移動させる正逆回転可能な搬送ベルトを有しており、
前記規制ガイドで前記下流側選別部側への移動が規制された硬貨を、前記通過センサが検知すると前記搬送ベルトを逆回転させて前記上流側選別部よりも前記識別部側に移動させた後、前記搬送ベルトを正回転させ前記上流側選別部を駆動して対象硬貨を前記搬送路から選別することを特徴とする請求項２記載の硬貨処理装置。
【請求項４】
前記下流側選別部は、駆動されて対象硬貨を前記搬送路から選別することを特徴とする請求項１乃至３のいずれか一項記載の硬貨処理装置。
【請求項５】
前記下流側選別部は、常時硬貨を前記搬送路から選別することを特徴とする請求項１乃至３のいずれか一項記載の硬貨処理装置。
【請求項６】
前記下流側選別部は常時最小径の金種の硬貨を前記搬送路から選別することになり、
前記上流側選別部が、前記搬送路で搬送中の硬貨を前記識別部の識別結果に基づいて金種別に大径のものから順次選別するように全金種数よりも一つ少なく設けられており、隣り合う前記上流側選別部と前記上流側選別部との間にも、これら上流側選別部のうち、前記識別部とは反対側の上流側選別部で選別する硬貨の径よりも大径の硬貨の当該上流側選別部側への移動を規制する規制ガイドが設けられていることを特徴とする請求項１乃至３のいずれか一項記載の硬貨処理装置。
【請求項７】
前記下流側選別部は常時硬貨を前記搬送路から選別し、
前記上流側選別部が、前記搬送路で搬送中の硬貨を前記識別部の識別結果に基づいて金種別に選別するように全金種数よりも一つ少なく設けられており、
前記上流側選別部は、前記識別部側の３つが１円硬貨用、１０円硬貨用および１００円硬貨用のグループであり、
前記上流側選別部の前記識別部とは反対側の残り２つおよび前記下流側選別部は、５円硬貨用、５０円硬貨用および５００円硬貨用のグループであることを特徴とする請求項１乃至３のいずれか一項記載の硬貨処理装置。
【請求項８】
前記下流側選別部は、前記搬送路から硬貨を落下させる落下孔であって、該落下孔を上方で覆う上部カバーが設けられていることを特徴とする請求項５乃至７のいずれか一項記載の硬貨処理装置。
【発明の詳細な説明】
【技術分野】
【０００１】
本発明は、硬貨処理装置に関する。
【背景技術】
【０００２】
硬貨選別搬送路上に硬貨径の小径順に硬貨選別孔を備えた硬貨選別計数装置において、硬貨搬送不良が発生した場合に、その後の選別計数処理を効率良く行うことができる硬貨処理装置がある（例えば特許文献１参照）。
【先行技術文献】
【特許文献】
【０００３】
【特許文献１】特開平９−１６１１１７号公報
【発明の概要】
【発明が解決しようとする課題】
【０００４】
上記の硬貨処理装置においては、硬貨選別計数処理中に硬貨搬送路上で搬送不良が発生してその搬送を停止させることがあった際に、落下させるべき選別孔の手前の硬貨の計数を確実なものとすることはできても、搬送不良により落下させるべき選別孔を越えてしまった硬貨については計数を確実なものとすることはできない。すなわち、落下させるべき選別孔とは異なる下流側の次の選別孔に硬貨が落下してしまうと、現金違算となる虞があるが、これを防止することはできない。
【０００５】
したがって、本発明は、選別するべき選別部とは異なる下流の選別部で硬貨を選別してしまうことを抑制することができる硬貨処理装置の提供を目的とする。
【課題を解決するための手段】
【０００６】
上記目的を達成するために、本発明に係る第１の態様は、搬送路で搬送中の硬貨を識別する識別部と、前記識別部の識別結果に基づいて駆動されて対象硬貨を前記搬送路から選別する上流側選別部と、前記上流側選別部の前記識別部とは反対側に設けられて前記対象硬貨よりも小径の硬貨を前記搬送路から選別する下流側選別部とを有し、前記上流側選別部と前記下流側選別部との間に、前記下流側選別部で選別する硬貨の径よりも大径の硬貨の前記下流側選別部側への移動を規制する規制ガイドが設けられていることを特徴とする。
【０００７】
上記第１の態様によれば、上流側選別部で選別するべき対象硬貨が、上流側選別部で選別されることなく上流側選別部の識別部とは反対側の下流側選別部に向け移動しようとすると、規制ガイドが下流側選別部で選別する硬貨の径よりも大径の硬貨の下流側選別部側への移動を規制する。よって、選別するべき上流側選別部とは異なる下流の下流側選別部で硬貨を選別してしまうことを抑制することができる。
【０００８】
本発明に係る第２の態様は、上記第１の態様において、前記上流側選別部と前記下流側選別部との間には、前記搬送路で搬送中の硬貨が前記上流側選別部を通過して前記下流側選別部に至ることを検知する通過センサが設けられており、前記通過センサは、前記規制ガイドで前記下流側選別部側への移動が規制された硬貨を検知することを特徴とする。
【０００９】
上記第２の態様によれば、上流側選別部と下流側選別部との間に設けられて、搬送路で搬送中の硬貨が上流側選別部を通過して下流側選別部に至ることを検知する通過センサが、規制ガイドで下流側選別部側への移動が規制された硬貨を検知するため、センサの数を減らすことができる。
【００１０】
本発明に係る第３の態様は、上記第２の態様において、前記搬送路は、正回転時に硬貨を前記識別部から前記上流側選別部へ向けて移動させる正逆回転可能な搬送ベルトを有しており、前記規制ガイドで前記下流側選別部側への移動が規制された硬貨を、前記通過センサが検知すると前記搬送ベルトを逆回転させて前記上流側選別部よりも前記識別部側に移動させた後、前記搬送ベルトを正回転させ前記上流側選別部を駆動して対象硬貨を前記搬送路から選別することを特徴とする。
【００１１】
上記第３の態様によれば、規制ガイドで下流側選別部側への移動が規制された硬貨を、通過センサが検知すると、搬送ベルトを逆回転させて上流側選別部よりも識別部側に移動させた後、搬送ベルトを正回転させ上流側選別部を駆動して対象硬貨を搬送路から選別する。よって、上流側選別部で選別するべきであって上流側選別部を通過してしまった硬貨を上流側選別部で選別することができる。
【００１２】
本発明に係る第４の態様は、上記第１乃至第３のいずれか一態様において、前記下流側選別部は、駆動されて対象硬貨を前記搬送路から選別することを特徴とする。
【００１３】
上記第４の態様によれば、上流側選別部と下流側選別部との間に設けられた規制ガイドが、上流側選別部で選別する硬貨の径よりも大径の硬貨の下流側選別部側への移動を規制するため、上流側選別部で選別するべき硬貨がこの上流側選別部で選別できなかったとしても、この上流側選別部の直後の規制ガイドで移動を規制することができる。
【００１４】
本発明に係る第５の態様は、上記第１乃至第３のいずれか一態様において、前記下流側選別部は、常時硬貨を前記搬送路から選別することを特徴とする。
【００１５】
上記第５の態様によれば、下流側選別部は、常時硬貨を前記搬送路から選別するため、上流側選別部で選別するべき対象硬貨が、上流側選別部で選別されることなく上流側選別部の識別部とは反対側の下流側選別部に向け移動しようとすると、下流側選別部で選別されやすい。このため、規制ガイドが下流側選別部で選別される硬貨の径よりも大径の硬貨の下流側選別部側への移動を規制することによる効果が高い。
【００１６】
本発明に係る第６の態様は、上記第１乃至第３のいずれか一態様において、前記下流側選別部は常時最小径の金種の硬貨を前記搬送路から選別することになり、前記上流側選別部が、前記搬送路で搬送中の硬貨を前記識別部の識別結果に基づいて金種別に大径のものから順次選別するように全金種数よりも一つ少なく設けられており、隣り合う前記上流側選別部と前記上流側選別部との間にも、これら上流側選別部のうち、前記識別部とは反対側の上流側選別部で選別する硬貨の径よりも大径の硬貨の当該上流側選別部側への移動を規制する規制ガイドが設けられていることを特徴とする。
【００１７】
上記第６の態様によれば、搬送路で搬送中の硬貨を識別部の識別結果に基づいて金種別に大径のものから順次選別するように全金種数よりも一つ少なく設けられた上流側選別部について、隣り合う上流側選別部と上流側選別部との間に設けられた規制ガイドが、これら上流側選別部のうち、識別部とは反対側の上流側選別部で選別する硬貨の径よりも大径の硬貨の当該上流側選別部側への移動を規制するため、識別部側の上流側選別部で選別するべき硬貨がこの上流側選別部で選別できなかったとしても、この上流側選別部の直後の規制ガイドで移動を規制することができる。
【００１８】
本発明に係る第７の態様は、上記第１乃至第３のいずれか一態様において、前記下流側選別部は常時硬貨を前記搬送路から選別し、前記上流側選別部が、前記搬送路で搬送中の硬貨を前記識別部の識別結果に基づいて金種別に選別するように全金種数よりも一つ少なく設けられており、前記上流側選別部は、前記識別部側の３つが１円硬貨用、１０円硬貨用および１００円硬貨用のグループであり、前記上流側選別部の前記識別部とは反対側の残り２つおよび前記下流側選別部は、５円硬貨用、５０円硬貨用および５００円硬貨用のグループであることを特徴とする。
【００１９】
上記第７の態様によれば、識別部側の３つの上流側選別部が、１円硬貨用、１０円硬貨用および１００円硬貨用のグループであり、識別部とは反対側の残り２つの上流側選別部及び下流側選別部が、５円硬貨用、５０円硬貨用および５００円硬貨用のグループであるため、取り扱う枚数が比較的多い金種である１円硬貨用、１０円硬貨用および１００円硬貨用のグループが識別部に近くなり、取引に係る計数処理時間をより短くすることができる。
【００２０】
本発明に係る第８の態様は、上記第５乃至第７のいずれか一態様において、前記下流側選別部は、前記搬送路から硬貨を落下させる落下孔であって、該落下孔を上方で覆う上部カバーが設けられていることを特徴とする。
【００２１】
上記第８の態様によれば、落下孔を上方で覆う上部カバーが設けられているため、規制ガイドで移動が規制された硬貨を手作業で取り出す際に、誤って落下孔に落としてしまうことを抑制できる。
【発明の効果】
【００２２】
本発明によれば、選別するべき選別部とは異なる下流の選別部で硬貨を選別してしまうことを抑制することができる硬貨処理装置を提供することができる。
【図面の簡単な説明】
【００２３】
【図１】本発明に係る硬貨処理装置の第１実施形態の要部を示すもので、（ａ）は平面図、（ｂ）は側断面図である。
【図２】本発明に係る硬貨処理装置の第２実施形態である貨幣処理装置を示す斜視図である。
【図３】本発明に係る硬貨処理装置の第２実施形態である貨幣処理装置を含むＰＯＳレジシステムのブロック図である。
【図４】本発明に係る硬貨処理装置の第２実施形態である貨幣処理装置の硬貨処理部の内部構成を概略的に示す平面図である。
【図５】本発明に係る硬貨処理装置の第２実施形態である貨幣処理装置の硬貨処理部の内部構成を示す平面図である。
【図６】本発明に係る硬貨処理装置の第２実施形態である貨幣処理装置の硬貨処理部の内部構成を概略的に示す側面図であって、出金搬送部等を示すものである。
【図７】本発明に係る硬貨処理装置の第２実施形態である貨幣処理装置の硬貨処理部の内部構成を概略的に示す側面図であって、予備収納庫等を示すものである。
【図８】本発明に係る硬貨処理装置の第２実施形態である貨幣処理装置の第２入金搬送路周辺を示す全体カバーを除いた平面図である。
【図９】本発明に係る硬貨処理装置の第２実施形態である貨幣処理装置の第２入金搬送路周辺を示す斜視図である。
【図１０】本発明に係る硬貨処理装置の第２実施形態である貨幣処理装置の上部カバー周辺を示す斜視図である。
【図１１】本発明に係る硬貨処理装置の第２実施形態である貨幣処理装置の上部カバー周辺を示す全体カバーを除いた斜視図である。
【図１２】本発明に係る硬貨処理装置の第２実施形態である貨幣処理装置の上部カバー周辺を示す側断面図である。
【図１３】本発明に係る硬貨処理装置の第２実施形態である貨幣処理装置の紙幣処理部の内部構成を概略的に示す平面図である。
【図１４】本発明に係る硬貨処理装置の第２実施形態である貨幣処理装置の補助収納庫を示す斜視図である。
【図１５】本発明に係る硬貨処理装置の第３実施形態の要部を示す平面図である。
【発明を実施するための形態】
【００２４】
＜第１実施形態＞
本発明に係る硬貨処理装置の第１実施形態を図１を参照して以下に説明する。
【００２５】
第１実施形態は、硬貨を金種別に振り分ける振り分け処理を少なくとも行う硬貨処理装置２００となっている。第１実施形態の硬貨処理装置２００は、硬貨を搬送する搬送路２０１と、搬送路２０１で搬送中の硬貨Ｃの金種を識別する識別部２０２と、開閉可能であって識別部２０２の識別結果に基づいて駆動されて開状態となることで対象硬貨を搬送路２０１から落下孔２０４ａ〜２０４ｅに落下させて選別する複数のゲート２０５ａ〜２０５ｅと、これらゲート２０５ａ〜２０５ｅの識別部２０２とは反対側に設けられて対象硬貨を搬送路２０１から常時落下させて選別する常時開状態の落下孔２０４ｆとを有している。
【００２６】
搬送路２０１は、水平に配置されて上面で硬貨の下面に接触して硬貨の移動を案内する搬送路本体２１１と、搬送路本体２１１の上側に設けられ、硬貨Ｃを搬送路本体２１１とで挟持して搬送する無端の搬送ベルト２１２とを有している。
【００２７】
ここで、硬貨処理装置２００は、１円硬貨、５円硬貨、１０円硬貨、５０円硬貨、１００円硬貨および５００円硬貨の全６金種の硬貨を金種混合の状態から金種別に振り分けるものである。
【００２８】
複数の落下孔２０４ａ〜２０４ｅおよび複数のゲート２０５ａ〜２０５ｅは、いずれも全金種数である６金種よりも一つ少ない５金種分設けられている。複数の落下孔２０４ａ〜２０４ｅおよび複数のゲート２０５ａ〜２０５ｅは、最小径の１円硬貨を除く５円硬貨、１０円硬貨、５０円硬貨、１００円硬貨および５００円硬貨を大径のものから順に搬送路２０１から落下させて選別するようになっている。
【００２９】
最も識別部２０２側の落下孔２０４ａおよびゲート２０５ａは最大径の５００円硬貨を対象硬貨として搬送路２０１から落下させて選別するものである。ゲート２０５ａは、落下孔２０４ａ内に設けられており、その識別部２０２とは反対側に設けられた支軸２２１ａを中心に回動可能となっている。ゲート２０５ａは、搬送路本体２１１の上面と面一の状態が、落下孔２０４ａを閉塞する閉状態であり、非駆動状態では閉状態とされ、この閉状態では、識別部２０２側から搬送されてきた硬貨を落下孔２０４ａから落下させることなく通過させる。ゲート２０５ａは、駆動されて搬送路本体２１１の上面よりも上側に突出するように支軸２２１ａを中心に回動することで、落下孔２０４ａを開放する開状態となる。ゲート２０５ａは、この開状態では、識別部２０２側から搬送されてきた硬貨を落下孔２０４ａから落下させる。搬送路本体２１１には、識別部２０２と落下孔２０４ａとの間に、搬送路２０１で搬送中の硬貨が識別部２０２を通過後、落下孔２０４ａおよびゲート２０５ａに至る際にこの硬貨を検知する硬貨検知センサ２２２ａが設けられている。
【００３０】
識別部２０２側から２番目の落下孔２０４ｂおよびゲート２０５ｂは１０円硬貨を対象硬貨として搬送路２０１から落下させて選別するものである。ゲート２０５ｂは、落下孔２０４ｂ内に設けられており、その識別部２０２とは反対側に設けられた支軸２２１ｂを中心に回動可能となっている。ゲート２０５ｂは、ゲート２０５ａと同様に開閉する。搬送路本体２１１には、落下孔２０４ａと落下孔２０４ｂとの間に、搬送路２０１で搬送中の硬貨が落下孔２０４ａおよびゲート２０５ａを通過して落下孔２０４ｂおよびゲート２０５ｂに至る際にこの硬貨を検知する硬貨検知センサ２２２ｂ（通過センサ）が設けられている。この硬貨検知センサ２２２ｂの検知結果と上記した硬貨検知センサ２２２ａの検知結果とから、これらの間にある落下孔２０４ａに硬貨が落下したか否かを検知する。落下孔２０４ｂは、ゲート２０５ａの識別部２０２とは反対側に設けられており、ゲート２０５ａによる落下孔２０４ａへの落下対象である５００円硬貨よりも小径の１０円硬貨を、ゲート２０５ｂが開状態となることで搬送路２０１から落下させる。
【００３１】
識別部２０２側から３番目の落下孔２０４ｃおよびゲート２０５ｃは１００円硬貨を対象硬貨として搬送路２０１から落下させて選別するものである。ゲート２０５ｃは、落下孔２０４ｃ内に設けられており、その識別部２０２とは反対側に設けられた支軸２２１ｃを中心に回動可能となっている。ゲート２０５ｃは、ゲート２０５ａ，２０５ｂと同様に開閉する。搬送路本体２１１には、落下孔２０４ｂと落下孔２０４ｃとの間に、搬送路２０１で搬送中の硬貨が落下孔２０４ｂおよびゲート２０５ｂを通過して落下孔２０４ｃおよびゲート２０５ｃに至る際にこの硬貨を検知する硬貨検知センサ２２２ｃ（通過センサ）が設けられている。この硬貨検知センサ２２２ｃの検知結果と上記した硬貨検知センサ２２２ｂの検知結果とから、これらの間にある落下孔２０４ｂに硬貨が落下したか否かを検知する。落下孔２０４ｃは、ゲート２０５ｂの識別部２０２とは反対側に設けられており、ゲート２０５ｂによる落下孔２０４ｂへの落下対象である１０円硬貨よりも小径の１００円硬貨を、ゲート２０５ｃが開状態となることで搬送路２０１から落下させる。
【００３２】
識別部２０２側から４番目の落下孔２０４ｄおよびゲート２０５ｄは５円硬貨を対象硬貨として搬送路２０１から落下させて選別するものである。ゲート２０５ｄは、落下孔２０４ｄ内に設けられており、その識別部２０２とは反対側に設けられた支軸２２１ｄを中心に回動可能となっている。ゲート２０５ｄは、ゲート２０５ａ〜２０５ｃと同様に開閉する。搬送路本体２１１には、落下孔２０４ｃと落下孔２０４ｄとの間に、搬送路２０１で搬送中の硬貨が落下孔２０４ｃおよびゲート２０５ｃを通過して落下孔２０４ｄおよびゲート２０５ｄに至る際にこの硬貨を検知する硬貨検知センサ２２２ｄ（通過センサ）が設けられている。この硬貨検知センサ２２２ｄの検知結果と上記した硬貨検知センサ２２２ｃの検知結果とから、これらの間にある落下孔２０４ｃに硬貨が落下したか否かを検知する。落下孔２０４ｄは、ゲート２０５ｃの識別部２０２とは反対側に設けられており、ゲート２０５ｃによる落下孔２０４ｃへの落下対象である１００円硬貨よりも小径の５円硬貨を、ゲート２０５ｄが開状態となることで搬送路２０１から落下させる。
【００３３】
識別部２０２側から５番目の落下孔２０４ｅおよびゲート２０５ｅは５０円硬貨を対象硬貨として搬送路２０１から落下させて選別するものである。ゲート２０５ｅは、落下孔２０４ｅ内に設けられており、その識別部２０２とは反対側に設けられた支軸２２１ｅを中心に回動可能となっている。ゲート２０５ｅは、ゲート２０５ａ〜２０５ｄと同様に開閉する。搬送路本体２１１には、落下孔２０４ｄと落下孔２０４ｅとの間に、搬送路２０１で搬送中の硬貨が落下孔２０４ｄおよびゲート２０５ｄを通過して落下孔２０４ｅおよびゲート２０５ｅに至る際にこの硬貨を検知する硬貨検知センサ２２２ｅ（通過センサ）が設けられている。この硬貨検知センサ２２２ｅの検知結果と上記した硬貨検知センサ２２２ｄの検知結果とから、これらの間にある落下孔２０４ｄに硬貨が落下したか否かを検知する。落下孔２０４ｅは、ゲート２０５ｄの識別部２０２とは反対側に設けられており、ゲート２０５ｄによる落下孔２０４ｄへの落下対象である５円硬貨よりも小径の５０円硬貨を、ゲート２０５ｅが開状態となることで搬送路２０１から落下させる。
【００３４】
落下孔２０４ｅおよびゲート２０５ｅの識別部２０２とは反対側に、落下孔２０４ｆが設けられている。落下孔２０４ｆはゲートがなく常時硬貨を落下可能な開状態であり、最小径の金種である１円硬貨を対象硬貨として搬送路２０１から落下させて選別する。落下孔２０４ｆは、ゲート２０５ｅの識別部２０２とは反対側に設けられており、ゲート２０５ｅによる落下孔２０４ｅへの落下対象である５０円硬貨よりも小径の１円硬貨を搬送路２０１から落下させる。搬送路本体２１１には、落下孔２０４ｅと落下孔２０４ｆとの間に、搬送路２０１で搬送中の硬貨が落下孔２０４ｅおよびゲート２０５ｅを通過して落下孔２０４ｆに至る際にこの硬貨を検知する硬貨検知センサ２２２ｆ（通過センサ）が設けられている。この硬貨検知センサ２２２ｆの検知結果と上記した硬貨検知センサ２２２ｅの検知結果とから、これらの間にある落下孔２０４ｅに硬貨が落下したか否かを検知する。また、この硬貨検知センサ２２２ｆの検知結果から落下孔２０４ｆに硬貨が落下したことを検知する。落下孔２０４ａ〜２０４ｅおよび複数のゲート２０５ａ〜２０５ｅが、識別部２０２の識別結果に基づいて駆動されて対象硬貨を搬送路２０１から選別する選別部となっており、落下孔２０４ｆが、落下孔２０４ａ〜２０４ｅおよび複数のゲート２０５ａ〜２０５ｅの識別部２０２とは反対側に設けられてこれらで搬送路２０１から選別する対象硬貨よりも小径の硬貨を搬送路２０１から選別する選別部となっている。
【００３５】
搬送路２０１には、搬送路本体２１１の落下孔２０４ｆよりも識別部２０２とは反対側から識別部２０２側に延出して落下孔２０４ｆを上方で覆う上部カバー２２５が設けられている。上部カバー２２５は、搬送路２０１でゲート２０５ｅ側から搬送されてきた硬貨の移動および落下孔２０４ｆへの落下を阻害することなく落下孔２０４ｆを上方で覆う。
【００３６】
搬送路２０１には、搬送路本体２１１の上面上に、落下孔２０４ａ〜２０４ｆを幅方向の両側で挟むように一対のガイド壁部２３１，２３１が設けられている。一対のガイド壁部２３１，２３１は、鏡面対称の段付き形状となっている。一対のガイド壁部２３１，２３１は、落下孔２０４ａの両側に配置される一対の平行な移動ガイド２３２ａ，２３２ａと、落下孔２０４ｂの両側に配置される一対の平行な移動ガイド２３２ｂ，２３２ｂと、落下孔２０４ｃの両側に配置される一対の平行な移動ガイド２３２ｃ，２３２ｃと、落下孔２０４ｄの両側に配置される一対の平行な移動ガイド２３２ｄ，２３２ｄと、落下孔２０４ｅの両側に配置される一対の平行な移動ガイド２３２ｅ，２３２ｅと、落下孔２０４ｆの両側に配置される一対の平行な移動ガイド２３２ｆ，２３２ｆとを有している。
【００３７】
一対の移動ガイド２３２ａ，２３２ａは、５００円硬貨の直径よりも広い間隔となっており、５００円硬貨およびこれより小径の１０円硬貨、１００円硬貨、５円硬貨、５０円硬貨および１円硬貨が通過可能となっている。一対の移動ガイド２３２ｂ，２３２ｂは、５００円硬貨の直径よりも狭く且つ１０円硬貨の直径よりも広い間隔となっており、１０円硬貨およびこれより小径の１００円硬貨、５円硬貨、５０円硬貨および１円硬貨が通過可能となっている。一対の移動ガイド２３２ｃ，２３２ｃは、１０円硬貨の直径よりも狭く且つ１００円硬貨の直径よりも広い間隔となっており、１００円硬貨およびこれより小径の５円硬貨、５０円硬貨および１円硬貨が通過可能となっている。一対の移動ガイド２３２ｄ，２３２ｄは、１００円硬貨の直径よりも狭く且つ５円硬貨の直径よりも広い間隔となっており、５円硬貨およびこれより小径の５０円硬貨および１円硬貨が通過可能となっている。一対の移動ガイド２３２ｅ，２３２ｅは、５円硬貨の直径よりも狭く且つ５０円硬貨の直径よりも広い間隔となっており、５０円硬貨およびこれより小径の１円硬貨が通過可能となっている。一対の移動ガイド２３２ｆ，２３２ｆは、５０円硬貨の直径よりも狭く且つ１円硬貨の直径よりも広い間隔となっており、最小径の１円硬貨が通過可能となっている。搬送路２０１の終端部の落下孔２０４ｆは、正常に搬送路２０１で搬送されてきた１円硬貨を落下させることになり、その際に、１円硬貨は、ガイド壁部２３１，２３１の一対の移動ガイド２３２ｆ，２３２ｆと上部カバー２２５とで、水平方向および鉛直方向がともにガードされることになる。
【００３８】
以上により、搬送路２０１の通路幅は識別部２０２から離れるにつれ、順に狭まっている。
【００３９】
一対のガイド壁部２３１，２３１は、一対の移動ガイド２３２ａ，２３２ａと一対の移動ガイド２３２ｂ，２３２ｂとを繋ぐ一対の規制ガイド２３３ａ，２３３ａと、一対の移動ガイド２３２ｂ，２３２ｂと一対の移動ガイド２３２ｃ，２３２ｃとを繋ぐ一対の規制ガイド２３３ｂ，２３３ｂと、一対の移動ガイド２３２ｃ，２３２ｃと一対の移動ガイド２３２ｄ，２３２ｄとを繋ぐ一対の規制ガイド２３３ｃ，２３３ｃと、一対の移動ガイド２３２ｄ，２３２ｄと一対の移動ガイド２３２ｅ，２３２ｅとを繋ぐ一対の規制ガイド２３３ｄ，２３３ｄと、一対の移動ガイド２３２ｅ，２３２ｅと一対の移動ガイド２３２ｆ，２３２ｆとを繋ぐ一対の規制ガイド２３３ｅ，２３３ｅと、を有している。
【００４０】
一対の規制ガイド２３３ａ，２３３ａは、落下孔２０４ａおよびゲート２０５ａと、落下孔２０４ｂおよびゲート２０５ｂとの間に設けられており、一対の移動ガイド２３２ｂ，２３２ｂに近づくほど間隔が狭くなるように傾斜している。一対の規制ガイド２３３ａ，２３３ａは、最大間隔が一対の移動ガイド２３２ａ，２３２ａの間隔と同じで５００円硬貨の直径よりも広く、最小間隔が一対の移動ガイド２３２ｂ，２３２ｂの間隔と同じで５００円硬貨の直径よりも狭く且つ１０円硬貨の直径よりも広い。これにより、一対の規制ガイド２３３ａ，２３３ａは、落下孔２０４ｂで落下する１０円硬貨の径よりも大径の５００円硬貨の落下孔２０４ｂ側への移動つまり落下孔２０４ｂへの落下を規制する。ここで、図１に示すように、一対の規制ガイド２３３ａ，２３３ａで落下孔２０４ｂ側への移動が規制されて停止した状態にある５００円硬貨Ｃは、硬貨検知センサ２２２ｂの鉛直上方で停止することになる。よって、硬貨検知センサ２２２ｂは、一対の規制ガイド２３３ａ，２３３ａで落下孔２０４ｂ側への移動が規制された状態の５００円硬貨Ｃを検知する。
【００４１】
一対の規制ガイド２３３ｂ，２３３ｂは、落下孔２０４ｂおよびゲート２０５ｂと、落下孔２０４ｃおよびゲート２０５ｃとの間に設けられており、一対の移動ガイド２３２ｃ，２３２ｃに近づくほど間隔が狭くなるように傾斜している。一対の規制ガイド２３３ｂ，２３３ｂは、最大間隔が一対の移動ガイド２３２ｂ，２３２ｂの間隔と同じで１０円硬貨の直径よりも広く、最小間隔が一対の移動ガイド２３２ｃ，２３２ｃの間隔と同じで１０円硬貨の直径よりも狭く且つ１００円硬貨の直径よりも広い。これにより、一対の規制ガイド２３３ｂ，２３３ｂは、落下孔２０４ｃで落下する１００円硬貨の径よりも大径の１０円硬貨の落下孔２０４ｃ側への移動つまり落下孔２０４ｃへの落下を規制する。ここで、一対の規制ガイド２３３ｂ，２３３ｂで落下孔２０４ｃ側への移動が規制されて停止した状態にある１０円硬貨は、硬貨検知センサ２２２ｃの鉛直上方で停止することになる。よって、硬貨検知センサ２２２ｃは、一対の規制ガイド２３３ｂ，２３３ｂで落下孔２０４ｃ側への移動が規制された状態の１０円硬貨を検知する。
【００４２】
一対の規制ガイド２３３ｃ，２３３ｃは、落下孔２０４ｃおよびゲート２０５ｃと、落下孔２０４ｄおよびゲート２０５ｄとの間に設けられており、一対の移動ガイド２３２ｄ，２３２ｄに近づくほど間隔が狭くなるように傾斜している。一対の規制ガイド２３３ｃ，２３３ｃは、最大間隔が一対の移動ガイド２３２ｃ，２３２ｃの間隔と同じで１００円硬貨の直径よりも広く、最小間隔が一対の移動ガイド２３２ｄ，２３２ｄの間隔と同じで１００円硬貨の直径よりも狭く且つ５円硬貨の直径よりも広い。これにより、一対の規制ガイド２３３ｃ，２３３ｃは、落下孔２０４ｄで落下する５円硬貨の径よりも大径の１００円硬貨の落下孔２０４ｄ側への移動つまり落下孔２０４ｄへの落下を規制する。ここで、一対の規制ガイド２３３ｃ，２３３ｃで落下孔２０４ｄ側への移動が規制されて停止した状態にある１００円硬貨は、硬貨検知センサ２２２ｄの鉛直上方で停止することになる。よって、硬貨検知センサ２２２ｄは、一対の規制ガイド２３３ｃ，２３３ｃで落下孔２０４ｄ側への移動が規制された状態の１００円硬貨を検知する。
【００４３】
一対の規制ガイド２３３ｄ，２３３ｄは、落下孔２０４ｄおよびゲート２０５ｄと、落下孔２０４ｅおよびゲート２０５ｅとの間に設けられており、一対の移動ガイド２３２ｅ，２３２ｅに近づくほど間隔が狭くなるように傾斜している。一対の規制ガイド２３３ｄ，２３３ｄは、最大間隔が一対の移動ガイド２３２ｄ，２３２ｄの間隔と同じで５円硬貨の直径よりも広く、最小間隔が一対の移動ガイド２３２ｅ，２３２ｅの間隔と同じで５円硬貨の直径よりも狭く且つ５０円硬貨の直径よりも広い。これにより、一対の規制ガイド２３３ｄ，２３３ｄは、落下孔２０４ｅで落下する５０円硬貨の径よりも大径の５円硬貨の落下孔２０４ｅ側への移動つまり落下孔２０４ｅへの落下を規制する。ここで、一対の規制ガイド２３３ｄ，２３３ｄで落下孔２０４ｅ側への移動が規制されて停止した状態にある５円硬貨は、硬貨検知センサ２２２ｅの鉛直上方で停止することになる。よって、硬貨検知センサ２２２ｅは、一対の規制ガイド２３３ｄ，２３３ｄで落下孔２０４ｅ側への移動が規制された状態の５円硬貨を検知する。
【００４４】
一対の規制ガイド２３３ｅ，２３３ｅは、落下孔２０４ｅおよびゲート２０５ｅと、落下孔２０４ｆとの間に設けられており、一対の移動ガイド２３２ｆ，２３２ｆに近づくほど間隔が狭くなるように傾斜している。一対の規制ガイド２３３ｅ，２３３ｅは、最大間隔が一対の移動ガイド２３２ｅ，２３２ｅの間隔と同じで５０円硬貨の直径よりも広く、最小間隔が一対の移動ガイド２３２ｆ，２３２ｆの間隔と同じで５０円硬貨の直径よりも狭く且つ１円硬貨の直径よりも広い。これにより、一対の規制ガイド２３３ｅ，２３３ｅは、落下孔２０４ｆで落下する１円硬貨の径よりも大径の５０円硬貨の落下孔２０４ｆ側への移動つまり落下孔２０４ｆへの落下を規制する。ここで、一対の規制ガイド２３３ｅ，２３３ｅで落下孔２０４ｆ側への移動が規制されて停止した状態にある５０円硬貨は、硬貨検知センサ２２２ｆの鉛直上方で停止することになる。よって、硬貨検知センサ２２２ｆは、一対の規制ガイド２３３ｅ，２３３ｅで落下孔２０４ｆ側への移動が規制された状態の５０円硬貨を検知する。
【００４５】
以上により、落下孔２０４ｆは常時開状態であって最小径の金種の１円硬貨を搬送路２０１から落下させて選別することになり、ゲート２０５ａ〜２０５ｅが、識別部２０２の識別結果に基づいて駆動されて、搬送路２０１で搬送中の硬貨を金種別に大径のものから順次搬送路２０１から落下させて選別するように全金種数よりも一つ少なく設けられている。そして、隣り合うゲート２０５ａとゲート２０５ｂとの間に、これらゲート２０５ａ，２０５ｂのうち、識別部２０２とは反対側のゲート２０５ｂで落下させる硬貨の径よりも大径の硬貨の当該ゲート２０５ｂ側への移動を規制する規制ガイド２３３ａ，２３３ａが設けられている。隣り合うゲート２０５ｂとゲート２０５ｃとの間に、これらゲート２０５ｂ，２０５ｃのうち、識別部２０２とは反対側のゲート２０５ｃで落下させる硬貨の径よりも大径の硬貨の当該ゲート２０５ｃ側への移動を規制する規制ガイド２３３ｂ，２３３ｂが設けられている。隣り合うゲート２０５ｃとゲート２０５ｄとの間に、これらゲート２０５ｃ，２０５ｄのうち、識別部２０２とは反対側のゲート２０５ｄで落下させる硬貨の径よりも大径の硬貨の当該ゲート２０５ｄ側への移動を規制する規制ガイド２３３ｃ，２３３ｃが設けられている。隣り合うゲート２０５ｄとゲート２０５ｅとの間に、これらゲート２０５ｄ，２０５ｅのうち、識別部２０２とは反対側のゲート２０５ｅで落下させる硬貨の径よりも大径の硬貨の当該ゲート２０５ｅ側への移動を規制する規制ガイド２３３ｄ，２３３ｄが設けられている。ゲート２０５ｅと落下孔２０４ｆとの間に、落下孔２０４ｆで落下する硬貨の径よりも大径の硬貨の落下孔２０４ｆ側への移動を規制する規制ガイド２３３ｅ，２３３ｅが設けられている。
【００４６】
第１実施形態の硬貨処理装置２００の図示略の制御部は、識別部２０２による識別結果と、搬送路２０１の搬送速度と、硬貨検知センサ２２２ａ〜２２２ｆによる硬貨の検知結果とから、各硬貨の位置および落下孔２０４ａ〜２０４ｆへの落下の有無を判定しつつゲート２０５ａ〜２０５ｅの開閉を制御する。
【００４７】
制御部は、例えば、識別部２０２で検出された５００円硬貨については、当該５００円硬貨が識別部２０２を通過したタイミングから所定時間経過後に５００円硬貨用のゲート２０５ａを駆動して開作動させることによって、当該５００円硬貨を落下孔２０４ａから落下させて図示略の５００円硬貨用の収納部に収納する。その際に、制御部は、当該５００円硬貨が硬貨検知センサ２２２ａを通過したタイミングでゲート２０５ａを閉作動させる。なお、識別部２０２で５００円硬貨が連続して検出されると、制御部は、先頭の５００円硬貨が識別部２０２を通過したタイミングから所定時間経過後にゲート２０５ａを開作動させ、その後、開状態を維持し、最後尾の５００円硬貨が硬貨検知センサ２２２ａを通過したことを検知するとゲート２０５ａを閉作動させる。なお、識別部２０２で兼用せずに５００円硬貨用の開作動用のタイミングセンサを設けても良い。制御部は、識別部２０２で検出された５００円硬貨が硬貨検知センサ２２２ａを通過後、所定時間の間に硬貨検知センサ２２２ｂで検知されないことを確認することで、当該５００円硬貨の落下孔２０４ａからの落下を検出する。
【００４８】
制御部は、識別部２０２で検出された１０円硬貨については、当該１０円硬貨が硬貨検知センサ２２２ａを通過したタイミングで１０円硬貨用のゲート２０５ｂを駆動して開作動させることによって、当該１０円硬貨を落下孔２０４ｂから落下させて図示略の１０円硬貨用の収納部に収納する。その際に、制御部は、当該１０円硬貨が硬貨検知センサ２２２ｂを通過したタイミングでゲート２０５ｂを閉作動させる。なお、識別部２０２で１０円硬貨が連続して検出されると、制御部は、先頭の１０円硬貨が硬貨検知センサ２２２ａを通過したタイミングでゲート２０５ｂを開き、最後尾の１０円硬貨が硬貨検知センサ２２２ｂを通過したタイミングでゲート２０５ｂを閉じる。制御部は、識別部２０２で検出された１０円硬貨が硬貨検知センサ２２２ｂを通過後、所定時間の間に硬貨検知センサ２２２ｃで検知されないことを確認することで、当該１０円硬貨の落下孔２０４ｂからの落下を検出する。
【００４９】
制御部は、識別部２０２で検出された１００円硬貨については、当該１００円硬貨が硬貨検知センサ２２２ｂを通過したタイミングで１００円硬貨用のゲート２０５ｃを駆動して開作動させることによって、当該１００円硬貨を落下孔２０４ｃから落下させて図示略の１００円硬貨用の収納部に収納する。その際に、制御部は、当該１００円硬貨が硬貨検知センサ２２２ｃを通過したタイミングでゲート２０５ｃを閉作動させる。この場合も、識別部２０２で１００円硬貨が連続して検出されると、制御部は、先頭の１００円硬貨が硬貨検知センサ２２２ｂを通過したタイミングでゲート２０５ｃを開き、最後尾の１００円硬貨が硬貨検知センサ２２２ｃを通過したタイミングでゲート２０５ｃを閉じる。制御部は、識別部２０２で検出された１００円硬貨が硬貨検知センサ２２２ｃを通過後、所定時間の間に硬貨検知センサ２２２ｄで検知されないことを確認することで、当該１００円硬貨の落下孔２０４ｃからの落下を検出する。
【００５０】
制御部は、識別部２０２で検出された５円硬貨については、当該５円硬貨が硬貨検知センサ２２２ｃを通過したタイミングで５円硬貨用のゲート２０５ｄを駆動して開作動させることによって、当該５円硬貨を落下孔２０４ｄから落下させて図示略の５円硬貨用の収納部に収納する。その際に、制御部は、当該５円硬貨が硬貨検知センサ２２２ｄを通過したタイミングでゲート２０５ｄを閉作動させる。この場合も、識別部２０２で５円硬貨が連続して検出されると、制御部は、先頭の５円硬貨が硬貨検知センサ２２２ｃを通過したタイミングでゲート２０５ｄを開き、最後尾の５円硬貨が硬貨検知センサ２２２ｄを通過したタイミングでゲート２０５ｄを閉じる。制御部は、識別部２０２で検出された５円硬貨が硬貨検知センサ２２２ｄを通過後、所定時間の間に硬貨検知センサ２２２ｅで検知されないことを確認することで、当該５円硬貨の落下孔２０４ｄからの落下を検出する。
【００５１】
制御部は、識別部２０２で検出された５０円硬貨については、当該５０円硬貨が硬貨検知センサ２２２ｄを通過したタイミングで５０円硬貨用のゲート２０５ｅを駆動して開作動させることによって、当該５０円硬貨を落下孔２０４ｅから落下させて図示略の５０円硬貨用の収納部に収納する。その際に、制御部は、当該５０円硬貨が硬貨検知センサ２２２ｅを通過したタイミングでゲート２０５ｅを閉作動させる。この場合も、識別部２０２で５０円硬貨が連続して検出されると、制御部は、先頭の５０円硬貨が硬貨検知センサ２２２ｄを通過したタイミングでゲート２０５ｅを開き、最後尾の５０円硬貨が硬貨検知センサ２２２ｅを通過したタイミングでゲート２０５ｅを閉じる。制御部は、識別部２０２で検出された５０円硬貨が硬貨検知センサ２２２ｅを通過後、所定時間の間に硬貨検知センサ２２２ｆで検知されないことを確認することで、当該５０円硬貨の落下孔２０４ｅからの落下を検出する。
【００５２】
制御部は、識別部２０２で検出された１円硬貨については、落下孔２０４ｆから落下させて図示略の１円硬貨用の収納部に収納する。制御部は、識別部２０２で検出された１円硬貨が硬貨検知センサ２２２ｆを通過したことを確認することで、当該１円硬貨の落下孔２０４ｅからの落下を検出する。
【００５３】
そして、制御信号ノイズ等の影響によりゲート２０５ａ〜２０５ｅのうちの所定のゲートを開口するはずが開口せず、または開口動作が遅れるなどして、その次の下流のゲートまたは落下孔２０４ｆに向けて硬貨が移動してしまった場合等のゲート２０５ａ〜２０５ｅの動作不良発生時や、落下孔２０４ａ〜２０４ｅのうち硬貨を落下させるべき所定の落下孔を越えてオーバーランしてしまった場合等の搬送不良発生時に、振り分け不良となった振り分け不良硬貨は、落下させるべき所定の落下孔を越えると、規制ガイド２３３ａ〜２３３ｅで停止させられて、落下させるべき所定の落下孔とは異なる落下孔に落下することが規制される。
【００５４】
例えば、５００円硬貨が、ゲート２０５ａおよび落下孔２０４ａを越えてゲート２０５ｂおよび落下孔２０４ｂに向けて移動しようとしても、一対の規制ガイド２３３ａ，２３３ａが、ゲート２０５ｂおよび落下孔２０４ｂの手前で図１に示すように５００円硬貨Ｃを停止させる。よって、例え後続の硬貨が１０円硬貨であってゲート２０５ｂが開いていたとしても５００円硬貨Ｃの落下孔２０４ｂへの落下を規制することができる。制御部は、硬貨検知センサ２２２ｂで所定時間以上連続して硬貨を検知すると、一対の規制ガイド２３３ａ，２３３ａで５００円硬貨が停止させられていると判断して搬送ベルト２１２を停止させ、図示略の表示部等に報知を行う。
【００５５】
また、１０円硬貨が、ゲート２０５ｂおよび落下孔２０４ｂを越えてゲート２０５ｃおよび落下孔２０４ｃに向けて移動しようとしても、一対の規制ガイド２３３ｂ，２３３ｂが、ゲート２０５ｃおよび落下孔２０４ｃの手前で１０円硬貨を停止させる。よって、例え後続の硬貨が１００円硬貨であってゲート２０５ｃが開いていたとしても１０円硬貨の落下孔２０４ｃへの落下を規制することができる。制御部は、硬貨検知センサ２２２ｃで所定時間以上連続して硬貨を検知すると、一対の規制ガイド２３３ｂ，２３３ｂで１０円硬貨が停止させられていると判断して搬送ベルト２１２を停止させ、図示略の表示部等に報知を行う。
【００５６】
また、１００円硬貨が、ゲート２０５ｃおよび落下孔２０４ｃを越えてゲート２０５ｄおよび落下孔２０４ｄに向けて移動しようとしても、一対の規制ガイド２３３ｃ，２３３ｃが、ゲート２０５ｄおよび落下孔２０４ｄの手前で１００円硬貨を停止させる。よって、例え後続の硬貨が５円硬貨であってゲート２０５ｄが開いていたとしても１００円硬貨の落下孔２０４ｄへの落下を規制することができる。制御部は、硬貨検知センサ２２２ｄで所定時間以上連続して硬貨を検知すると、一対の規制ガイド２３３ｃ，２３３ｃで１００円硬貨が停止させられていると判断して搬送ベルト２１２を停止させ、図示略の表示部等に報知を行う。
【００５７】
５円硬貨が、ゲート２０５ｄおよび落下孔２０４ｄを越えてゲート２０５ｅおよび落下孔２０４ｅに向けて移動しようとしても、一対の規制ガイド２３３ｄ，２３３ｄが、ゲート２０５ｅおよび落下孔２０４ｅの手前で５円硬貨を停止させる。よって、例え後続の硬貨が５０円硬貨であってゲート２０５ｅが開いていたとしても５円硬貨の落下孔２０４ｅへの落下を規制することができる。制御部は、硬貨検知センサ２２２ｅで所定時間以上連続して硬貨を検知すると、一対の規制ガイド２３３ｄ，２３３ｄで５円硬貨が停止させられていると判断して搬送ベルト２１２を停止させ、図示略の表示部等に報知を行う。
【００５８】
５０円硬貨が、ゲート２０５ｅおよび落下孔２０４ｅを越えて落下孔２０４ｆに向けて移動しようとしても、一対の規制ガイド２３３ｅ，２３３ｅが、落下孔２０４ｆの手前で５０円硬貨を停止させて、常時開状態の落下孔２０４ｆへの落下を規制する。制御部は、硬貨検知センサ２２２ｆで所定時間以上連続して硬貨を検知すると、一対の規制ガイド２３３ｅ，２３３ｅで５０円硬貨が停止させられていると判断して搬送ベルト２１２を停止させ、図示略の表示部等に報知を行う。
【００５９】
以上に述べた第１実施形態によれば、駆動されて開状態となったゲート２０５ａで、落下孔２０４ａから落下させるべき対象の５００円硬貨が、この落下孔２０４ａで落下することなくゲート２０５ａの識別部２０２とは反対側の落下孔２０４ｂに向け移動しようとすると、規制ガイド２３３ａ，２３３ａが落下孔２０４ｂで落下する１０円硬貨の径よりも大径の５００円硬貨の落下孔２０４ｂ側への移動を規制する。すなわち、落下孔２０４ａのゲート２０５ａで落下させるべき５００円硬貨がこのゲート２０５ａで落下しなかったとしても、このゲート２０５ａの直後の規制ガイド２３３ａ，２３３ａで移動を規制することができる。したがって、落下させるべき選別部であるゲート２０５ａとは異なる下流の選別部である落下孔２０４ｂに５００円硬貨を落下させてしまうことを抑制することができる。
【００６０】
同様に、駆動されて開状態となったゲート２０５ｂで落下孔２０４ｂから落下させるべき対象の１０円硬貨が、落下孔２０４ｃに向け移動しようとすると、規制ガイド２３３ｂ，２３３ｂが落下孔２０４ｃで落下する１００円硬貨の径よりも大径の１０円硬貨の落下孔２０４ｃ側への移動を規制する。すなわち、落下孔２０４ｂのゲート２０５ｂで落下させるべき１０円硬貨がこのゲート２０５ｂで落下しなかったとしても、このゲート２０５ｂの直後の規制ガイド２３３ｂ，２３３ｂで移動を規制することができる。したがって、落下させるべきゲート２０５ｂとは異なる下流の落下孔２０４ｃに１０円硬貨を落下させてしまうことを抑制することができる。
【００６１】
同様に、駆動されて開状態となったゲート２０５ｃで落下孔２０４ｃから落下させるべき対象の１００円硬貨が、落下孔２０４ｄに向け移動しようとすると、規制ガイド２３３ｃ，２３３ｃが落下孔２０４ｄで落下する５円硬貨の径よりも大径の１００円硬貨の落下孔２０４ｄ側への移動を規制する。すなわち、落下孔２０４ｃのゲート２０５ｃで落下させるべき１００円硬貨がこのゲート２０５ｃで落下しなかったとしても、このゲート２０５ｃの直後の規制ガイド２３３ｃ，２３３ｃで移動を規制することができる。したがって、落下させるべきゲート２０５ｃとは異なる下流の落下孔２０４ｄに１００円硬貨を落下させてしまうことを抑制することができる。
【００６２】
同様に、駆動されて開状態となったゲート２０５ｄで落下孔２０４ｄから落下させるべき対象の５円硬貨が、落下孔２０４ｅに向け移動しようとすると、規制ガイド２３３ｄ，２３３ｄが落下孔２０４ｅで落下する５０円硬貨の径よりも大径の５円硬貨の落下孔２０４ｅ側への移動を規制する。すなわち、落下孔２０４ｄのゲート２０５ｄで落下させるべき５円硬貨がこのゲート２０５ｄで落下しなかったとしても、このゲート２０５ｄの直後の規制ガイド２３３ｄ，２３３ｄで移動を規制することができる。したがって、落下させるべきゲート２０５ｄとは異なる下流の落下孔２０４ｅに５円硬貨を落下させてしまうことを抑制することができる。
【００６３】
同様に、駆動されて開状態となったゲート２０５ｅで落下孔２０４ｅから落下させるべき対象の５０円硬貨が、落下孔２０４ｆに向け移動しようとすると、規制ガイド２３３ｅ，２３３ｅが落下孔２０４ｆで落下する１円硬貨の径よりも大径の５０円硬貨の落下孔２０４ｆ側への移動を規制する。すなわち、落下孔２０４ｅのゲート２０５ｅで落下させるべき５０円硬貨がこのゲート２０５ｅで落下しなかったとしても、このゲート２０５ｅの直後の規制ガイド２３３ｅ，２３３ｅで移動を規制することができる。したがって、落下させるべきゲート２０５ｅとは異なる下流の落下孔２０４ｆに５０円硬貨を落下させてしまうことを抑制することができる。
【００６４】
また、ゲート２０５ａと落下孔２０４ｂとの間に設けられて、搬送路２０１で搬送中の硬貨がゲート２０５ａを通過して落下孔２０４ｂに至ることを検知する硬貨検知センサ２２２ｂが、規制ガイド２３３ａ，２３３ａで移動が規制された５００円硬貨Ｃを検知する。同様に、ゲート２０５ｂと落下孔２０４ｃとの間に設けられて、搬送路２０１で搬送中の硬貨がゲート２０５ｂを通過して落下孔２０４ｃに至ることを検知する硬貨検知センサ２２２ｃが、規制ガイド２３３ｂ，２３３ｂで移動が規制された１０円硬貨を検知する。同様に、ゲート２０５ｃと落下孔２０４ｄとの間に設けられて、搬送路２０１で搬送中の硬貨がゲート２０５ｃを通過して落下孔２０４ｄに至ることを検知する硬貨検知センサ２２２ｄが、規制ガイド２３３ｃ，２３３ｃで移動が規制された１００円硬貨を検知する。同様に、ゲート２０５ｄと落下孔２０４ｅとの間に設けられて、搬送路２０１で搬送中の硬貨がゲート２０５ｄを通過して落下孔２０４ｅに至ることを検知する硬貨検知センサ２２２ｅが、規制ガイド２３３ｄ，２３３ｄで移動が規制された５円硬貨を検知する。同様に、ゲート２０５ｅと落下孔２０４ｆとの間に設けられて、搬送路２０１で搬送中の硬貨がゲート２０５ｅを通過して落下孔２０４ｆに至ることを検知する硬貨検知センサ２２２ｆが、規制ガイド２３３ｅ，２３３ｅで移動が規制された５０円硬貨を検知する。このように硬貨の通過を検知するセンサで振り分け不良硬貨の停止を検知するため、センサの数を減らすことができる。加えて、操作者に対して振り分け不良硬貨を検出したエラー状況の報知が明確に可能となる。すなわち規制ガイド２３３ａ〜２３３ｅに当接した状態で停止し、且つ硬貨検知センサ２２２ｂ〜２２２ｆ上に存在する振り分け不良硬貨の位置情報を明確に操作者に報知して、排除を促すことが可能となる。
【００６５】
また、落下孔２０４ｆは常時開状態であるため、ゲート２０５ｅで落下孔２０４ｅから落下させるべき対象硬貨が、落下孔２０４ｅで落下することなくゲート２０５ｅの識別部２０２とは反対側の落下孔２０４ｆに向け移動しようとすると、落下孔２０４ｆに落下しやすい。このため、規制ガイド２３３ｅ，２３３ｅが落下孔２０４ｆで落下する硬貨の径よりも大径の硬貨の落下孔２０４ｆ側への移動を規制することによる効果が高い。
【００６６】
また、搬送路２０１には、常時開状態の落下孔２０４ｆを上方で覆う上部カバー２２５が設けられているため、規制ガイド２３３ａ〜２３３ｅ，２３３ａ〜２３３ｅで移動が規制された硬貨を手作業で取り出す際に、掴み損なう等して誤って落下孔２０４ｆに落としてしまうことを抑制できる。
【００６７】
なお、１本の搬送路本体２１１に別体のガイド壁部２３１，２３１を取り付けて規制ガイド２３３ａ〜２３３ｅ，２３３ａ〜２３３ｅを設けても良く、１本の搬送路本体２１１そのものに規制ガイド２３３ａ〜２３３ｅ，２３３ａ〜２３３ｅを含むガイド壁部２３１，２３１を形成しても良い。
【００６８】
加えて、両側のガイド壁部２３１，２３１を、鏡面対称の段付き形状としたが、これに限る必要はなく、取り扱う硬貨が、日本国硬貨のように金種間の直径差が比較的小さい硬貨にあっては、一方のガイド壁部２３１を直線状にし他方のガイド壁部２３１を一方のガイド壁部２３１との間隔が識別部２０２から離れるほど狭くなるように段付き形状としてもよい。この場合、硬貨を搬送する搬送ベルト２１２を、搬送路２０１の上流から下流に向けて、直線状に形成される一方のガイド壁部２３１に近づくように、斜めに配置するようにしても良い。
【００６９】
第１実施形態において、搬送ベルト２１２を、正逆回転可能とし、落下孔２０４ａ〜２０４ｅのうち本来落下すべき落下孔を通り過ぎてしまった硬貨を、落下孔２０４ａ〜２０４ｅのうち本来落下すべき落下孔よりも識別部２０２側まで戻し、再度、ゲート２０５ａ〜２０５ｅで落下孔２０４ａ〜２０４ｅの本来落下すべき落下孔に落下させるようにしても良い。
【００７０】
すなわち、硬貨を識別部２０２からゲート２０５ａ〜２０５ｅに向けて移動させる方向を正回転とし、硬貨をゲート２０５ａ〜２０５ｅから識別部２０２に向けて移動させる方向を逆回転とすると、制御部は、搬送ベルト２１２の正回転中、規制ガイド２３３ａ，２３３ａで落下孔２０４ｂ側への移動が規制された５００円硬貨Ｃを硬貨検知センサ２２２ｂが検知すると、当該５００円硬貨を、搬送ベルト２１２を逆回転させてゲート２０５ａよりも識別部２０２側に移動させた後、搬送ベルト２１２を正回転させゲート２０５ａを開いて落下孔２０４ａに落下させる。これにより、ゲート２０５ａの落下孔２０４ａに落下させるべきであってゲート２０５ａを通過してしまった５００円硬貨を落下孔２０４ａに落下させることができる。
【００７１】
同様に、制御部は、搬送ベルト２１２の正回転中、規制ガイド２３３ｂ，２３３ｂで落下孔２０４ｃ側への移動が規制された１０円硬貨を硬貨検知センサ２２２ｃが検知すると、当該１０円硬貨を、搬送ベルト２１２を逆回転させてゲート２０５ｂよりも識別部２０２側に移動させた後、搬送ベルト２１２を正回転させゲート２０５ｂを開いて落下孔２０４ｂに落下させる。これにより、ゲート２０５ｂの落下孔２０４ｂに落下させるべきであってゲート２０５ｂを通過してしまった１０円硬貨を落下孔２０４ｂに落下させることができる。
【００７２】
同様に、制御部は、搬送ベルト２１２の正回転中、規制ガイド２３３ｃ，２３３ｃで落下孔２０４ｄ側への移動が規制された１００円硬貨を硬貨検知センサ２２２ｄが検知すると、当該１００円硬貨を、搬送ベルト２１２を逆回転させてゲート２０５ｃよりも識別部２０２側に移動させた後、搬送ベルト２１２を正回転させゲート２０５ｃを開いて落下孔２０４ｃに落下させる。これにより、ゲート２０５ｃの落下孔２０４ｃに落下させるべきであってゲート２０５ｃを通過してしまった１００円硬貨を落下孔２０４ｃに落下させることができる。
【００７３】
同様に、制御部は、搬送ベルト２１２の正回転中、規制ガイド２３３ｄ，２３３ｄで落下孔２０４ｅ側への移動が規制された５円硬貨を硬貨検知センサ２２２ｅが検知すると、当該５円硬貨を、搬送ベルト２１２を逆回転させてゲート２０５ｄよりも識別部２０２側に移動させた後、搬送ベルト２１２を正回転させゲート２０５ｄを開いて落下孔２０４ｄに落下させる。これにより、ゲート２０５ｄの落下孔２０４ｄに落下させるべきであってゲート２０５ｄを通過してしまった５円硬貨を落下孔２０４ｄに落下させることができる。
【００７４】
同様に、制御部は、搬送ベルト２１２の正回転中、規制ガイド２３３ｅ，２３３ｅで落下孔２０４ｆ側への移動が規制された５０円硬貨を硬貨検知センサ２２２ｆが検知すると、当該５０円硬貨を、搬送ベルト２１２を逆回転させてゲート２０５ｅよりも識別部２０２側に移動させた後、搬送ベルト２１２を正回転させゲート２０５ｅを開いて落下孔２０４ｅに落下させる。これにより、ゲート２０５ｅの落下孔２０４ｅに落下させるべきであってゲート２０５ｅを通過してしまった５０円硬貨を落下孔２０４ｅに落下させることができる。
【００７５】
なお、識別部２０２よりもゲート２０５ａ〜２０５ｅおよび落下孔２０４ｆとは反対側に硬貨を貯留させる部分があれば、搬送ベルト２１２の上記逆回転時に、そこまで硬貨を戻しても良い。
【００７６】
＜第２実施形態＞
本発明に係る硬貨処理装置の第２実施形態である貨幣処理装置を図２〜図１４を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００７７】
図２に示す本実施形態の貨幣処理装置１は、貨幣である硬貨及び貨幣である紙幣の入出金処理を含む各種処理を行う本体部２と、本体部２とは別体であって貨幣を収納する補助収納庫３とを有している。補助収納庫３の上に本体部２が載置されて貨幣処理装置１を構成している。本体部２及び補助収納庫３は必要により連結されて一体化されている。貨幣処理装置１には、右側に硬貨の各種処理を行う硬貨処理部５が、左側に紙幣の各種処理を行う紙幣処理部６が設けられている。つまり、貨幣処理装置１は、その本体部２が、硬貨を処理する硬貨処理部５と紙幣を処理する紙幣処理部６とが左右に水平に並設されて構成されている。ここで、本体部２を構成する硬貨処理部５と紙幣処理部６とは別体であり、互いに当接状態に並設されて本体部２となる。硬貨処理部５及び紙幣処理部６は必要により連結されて一体化されている。硬貨処理部５は、紙幣処理部６よりも左右方向の幅が広くなっている。
【００７８】
貨幣処理装置１の上には、貨幣処理装置１の上位機となるＰＯＳレジ１１が設置されることになり、貨幣処理装置１は、ＰＯＳレジ１１に接続されて売上金の入金及び釣銭の出金等を行うものである。貨幣処理装置１及びＰＯＳレジ１１は必要により連結されて一体化されている。
【００７９】
図３に示すように、ＰＯＳレジ１１は、操作者により操作入力がなされる入力操作部１２と、操作者に対して表示を行う入力表示部１３と、商品のバーコードを読み取るバーコード読取部１４と、ＩＤカードが走査されるとＩＤ情報を読み取るカード読取部１５と、商品の料金を表示させる料金表示部１６と、用紙に印字してレシートを発行するレシート印字部１７とを有している。ＰＯＳレジ１１は、これらと貨幣処理装置１とを制御する制御部１８を有している。
【００８０】
図２に示すように、貨幣処理装置１の上面２０の操作者と対向する前面２１側の右側には、硬貨処理部５の位置に、入金処理時に装置外から硬貨が投入される上方開口のホッパからなる硬貨入金口２２が設けられている。硬貨入金口２２は、複数金種が混在する金種混合状態で硬貨が装置外から一括投入可能であり、このように入れられた硬貨を貯留しつつ一枚ずつ分離して装置内に繰り出す。貨幣処理装置１の上面２０における硬貨入金口２２の左側には、硬貨処理部５の位置に、操作者による操作入力が入力されると共に操作者に対して表示を行う操作表示部２３が設けられている。
【００８１】
また、硬貨処理部５には、前面２１側に、硬貨入金口２２に投入されたものの受け入れ不可と識別された受入不可硬貨を装置外に取り出し可能に貯留する硬貨リジェクト口２４と、硬貨の放出関連処理時に装置内から放出される硬貨を受け取って装置外に取り出し可能に貯留する硬貨出金口２５とが設けられている。硬貨リジェクト口２４と硬貨出金口２５とは、前面２１よりも前方に突出しており、上方開口の受け皿状をなしている。硬貨リジェクト口２４と硬貨出金口２５とは、貨幣処理装置１の前部において左右方向に並設されている。以上により、硬貨処理部５を含む本体部２は、硬貨入金口２２と硬貨リジェクト口２４と硬貨出金口２５とを有している。
【００８２】
貨幣処理装置１の上面２０の前面２１側の左側には、紙幣処理部６の位置に、入金処理時に装置外からバラ紙幣が投入される上方開口の紙幣入金口２６が設けられている。また、紙幣処理部６の位置には、上面２０における紙幣入金口２６の後側に、出金処理時に装置内から出金紙幣が繰り出されると共に入金処理時に受け入れ不可と識別された受入不可紙幣が装置内から繰り出される紙幣出金口２７が設けられている。紙幣入金口２６には、複数金種が混在する金種混合状態で紙幣が装置外から一括投入可能であり、このように入れられた紙幣を一枚ずつ分離して装置内に繰り出す。
【００８３】
硬貨処理部５は、図４に示す概略構成となっている。硬貨処理部５には、硬貨入金口２２に入れられた硬貨を一枚ずつ分離して左方に搬送する第１入金搬送路３１と、第１入金搬送路３１で搬送されてきた硬貨を後方に向けて搬送する第２入金搬送路３２（搬送路）と、第２入金搬送路３２に設けられ、第２入金搬送路３２で後方に向けて搬送中の硬貨を識別する硬貨識別部３３（識別部）とが設けられている。
【００８４】
図５に示すように、第１入金搬送路３１は、硬貨入金口２２の鉛直下方から左方に延出する無端のベルトコンベア６１と、硬貨入金口２２よりも左側においてベルトコンベア６１の上側に配置され、ベルトコンベア６１の搬送方向とは逆方向に対向部分を移動させる分離ローラ６２とを有している。第１入金搬送路３１は、硬貨入金口２２に投入された硬貨を、回転するベルトコンベア６１によって左方に送り、途中位置に設けられた分離ローラ６２で一枚ずつに分離して更に左方に搬送する。
【００８５】
第１入金搬送路３１は、分離ローラ６２で一枚ずつに分離されてベルトコンベア６１で左方に搬送されてきた硬貨を更に搬送する通路６３及び搬送ベルト６４を有している。通路６３及び搬送ベルト６４は、左右方向に延在しており、ベルトコンベア６１から通路６３上に送り出された硬貨を搬送ベルト６４が上側から通路６３に押し付けて更に左方に搬送する。
【００８６】
第２入金搬送路３２は、第１入金搬送路３１の通路６３及び搬送ベルト６４で搬送されてきた硬貨を更に搬送する搬送路本体７１及び無端の搬送ベルト７２を有している。搬送路本体７１及び搬送ベルト７２は、前後方向に延在しており、第１入金搬送路３１から搬送路本体７１上に送り出された硬貨を搬送ベルト７２が上側から搬送路本体７１に押し付けて後方に搬送する。搬送路本体７１は水平に配置されて上面で硬貨の下面に接触して硬貨の移動を案内する。
【００８７】
ここで、硬貨識別部３３で受け入れ不可と識別された受入不可硬貨は、第２入金搬送路３２のスイッチバックによる逆転搬送で前方に搬送される。硬貨処理部５には、硬貨識別部３３よりも前側に第２入金搬送路３２から硬貨を落下させる開閉可能なリジェクト振分ゲート３６が設けられている。リジェクト振分ゲート３６は、閉状態では第２入金搬送路３２から硬貨を落下させることはなく、開作動することで、上記の第２入金搬送路３２の逆転搬送で前方に向けて搬送される受入不可硬貨を第２入金搬送路３２から落下させる。硬貨処理部５には、リジェクト振分ゲート３６で第２入金搬送路３２から落下させられた硬貨を硬貨リジェクト口２４に案内するリジェクトシュータ３７が設けられている。
【００８８】
硬貨処理部５には、硬貨識別部３３よりも後方に、それぞれが所定の単一金種のバラ硬貨を収納すると共に、収納しているバラ硬貨を繰り出す複数の金種別のスタッカ４１ａ，４１ｂ，４１ｃ，４１ｄ，４１ｅ，４１ｆが設けられている。金種別のスタッカ４１ａ〜４１ｆは、それぞれが左右方向に長い形状をなしており、左右方向の位置を合わせて前後方向に並んで配置されている。例えば、最も前側のスタッカ４１ａには１円硬貨が、前側から二番目のスタッカ４１ｂには１０円硬貨が、前側から三番目のスタッカ４１ｃには１００円硬貨が、前側から四番目のスタッカ４１ｄには５円硬貨が、前側から五番目のスタッカ４１ｅには５００円硬貨が、最も後側のスタッカ４１ｆには５０円硬貨が、それぞれ収納される。
【００８９】
ここで、スタッカ４１ａ〜４１ｆは、硬貨識別部３３側の３つのスタッカ４１ａ〜４１ｃが、入金・出金で取り扱う枚数が比較的多い金種である１円硬貨用、１０円硬貨用および１００円硬貨用のグループであり、スタッカ４１ａ〜４１ｃよりも硬貨識別部３３とは反対側の３つのスタッカ４１ｄ〜４１ｆが、入金・出金で取り扱う枚数が比較的少ない金種である５円硬貨用、５０円硬貨用および５００円硬貨用のグループであれば、順番は適宜設定可能である。但し、５円硬貨用、５０円硬貨用および５００円硬貨用のスタッカ４１ｄ〜４１ｆのうち、最も硬貨識別部３３とは反対側のスタッカ４１ｆは、その硬貨識別部３３側に隣り合うスタッカ４１ｅよりも小径の硬貨用となっている。つまり、上記のようにスタッカ４１ｆが５０円硬貨用であれば、スタッカ４１ｅは５円硬貨用および５００円硬貨用のいずれでも良く、スタッカ４１ｆが５円硬貨用であれば、スタッカ４１ｅは５００円硬貨用となる。スタッカ４１ｆが５００円硬貨用に設定されることはない。
【００９０】
第２入金搬送路３２は、すべてのスタッカ４１ａ〜４１ｆを前後方向に結ぶように延在しており、硬貨処理部５には、硬貨識別部３３よりも後方側に、開閉可能であって識別部３３の識別結果に基づいて駆動されて開状態となることで対象硬貨を第２入金搬送路３２から落下孔３０１ａ，３０１ｂ，３０１ｃ，３０１ｄ，３０１ｅに落下させて選別する金種振分ゲート４２ａ，４２ｂ，４２ｃ，４２ｄ，４２ｅと、金種振分ゲート４２ａ〜４２ｅの硬貨識別部３３とは反対側に設けられて金種振分ゲート４２ｅ（上流側選別部）および落下孔３０１ｅ（上流側選別部）の落下対象硬貨よりも小径の硬貨を第２入金搬送路３２から常時落下させる常時開状態の落下孔３０１ｆ（下流側選別部）とを有している。金種振分ゲート４２ａ〜４２ｅは、いずれも、非駆動状態では閉状態とされ、閉状態では第２入金搬送路３２から硬貨を落下させることはなく、開作動時に第２入金搬送路３２から硬貨を落下させる。金種振分ゲート４２ａ〜４２ｅは、硬貨識別部３３の識別結果に基づいて駆動されて開状態となることで対応する金種の硬貨を第２入金搬送路３２からスタッカ４１ａ〜４１ｆの対応する金種のものに落下させる。
【００９１】
すなわち、金種振分ゲート４２ａ〜４２ｅのうち最も前側の金種振分ゲート４２ａは、駆動された開作動時に、落下孔３０１ａを介して、スタッカ４１ａ〜４１ｆのうち最も前側のスタッカ４１ａに第２入金搬送路３２から硬貨を落下させて選別することになる。同様に、前から二番目の金種振分ゲート４２ｂが落下孔３０１ｂを介して前から二番目のスタッカ４１ｂに、前から三番目の金種振分ゲート４２ｃが落下孔３０１ｃを介して前から三番目のスタッカ４１ｃに、前から四番目の金種振分ゲート４２ｄが落下孔３０１ｄを介して前から四番目のスタッカ４１ｄに、前から五番目の金種振分ゲート４２ｅが落下孔３０１ｅを介して前から五番目のスタッカ４１ｅに、それぞれ駆動された開作動時に第２入金搬送路３２から硬貨を落下させて選別する。最も後側の常時開状態の落下孔３０１ｆは、最も後側のスタッカ４１ｆに第２入金搬送路３２から硬貨を落下させて選別する。
【００９２】
図５〜図８に示すように、金種振分ゲート４２ａ〜４２ｅは、全金種数である６金種よりも一つ少ない５金種分設けられている。
【００９３】
最も硬貨識別部３３側の落下孔３０１ａおよび金種振分ゲート４２ａは、１円硬貨を対象硬貨として第２入金搬送路３２から落下させて選別するものである。金種振分ゲート４２ａは、落下孔３０１ａ内に設けられており、その硬貨識別部３３とは反対側に設けられた支軸３０２ａを中心に回動可能となっている。金種振分ゲート４２ａは、搬送路本体７１の上面と面一の状態が、落下孔３０１ａを閉塞する閉状態であり、非駆動状態では閉状態とされ、この閉状態では、硬貨識別部３３側から搬送されてきた硬貨を落下孔３０１ａから落下させることなく通過させる。金種振分ゲート４２ａは、搬送路本体７１の上面よりも上側に突出するように支軸３０２ａを中心に回動することで、落下孔３０１ａを開放する開状態となる。金種振分ゲート４２ａは、この開状態では、硬貨識別部３３側から搬送されてきた硬貨を落下孔３０１ａに落下させる。搬送路本体７１の上面には、硬貨識別部３３と落下孔３０１ａとの間に、第２入金搬送路３２で搬送中の硬貨が硬貨識別部３３を通過した後に落下孔３０１ａおよび金種振分ゲート４２ａに至る際にこの硬貨を検知する硬貨検知センサ３０３ａが設けられている。
【００９４】
硬貨識別部３３側から２番目の落下孔３０１ｂおよび金種振分ゲート４２ｂは１０円硬貨を対象硬貨として第２入金搬送路３２から落下させて選別するものである。金種振分ゲート４２ｂは、落下孔３０１ｂ内に設けられており、その硬貨識別部３３とは反対側に設けられた支軸３０２ｂを中心に回動可能となっている。金種振分ゲート４２ｂは、金種振分ゲート４２ａと同様に開閉して硬貨を落下孔３０１ｂに落下させたり、落下させずに通過させたりする。搬送路本体７１には、落下孔３０１ａと落下孔３０１ｂとの間に、第２入金搬送路３２で搬送中の硬貨が落下孔３０１ａおよび金種振分ゲート４２ａを通過して落下孔３０１ｂおよび金種振分ゲート４２ｂに至る際にこの硬貨を検知する硬貨検知センサ３０３ｂが設けられている。この硬貨検知センサ３０３ｂの検知結果と上記した硬貨検知センサ３０３ａの検知結果とから、これらの間にある落下孔３０１ａに硬貨が落下したか否かを検知する。
【００９５】
硬貨識別部３３側から３番目の落下孔３０１ｃおよび金種振分ゲート４２ｃは１００円硬貨を対象硬貨として第２入金搬送路３２から落下させて選別するものである。金種振分ゲート４２ｃは、落下孔３０１ｃ内に設けられており、その硬貨識別部３３とは反対側に設けられた支軸３０２ｃを中心に回動可能となっている。金種振分ゲート４２ｃは、金種振分ゲート４２ａ，４２ｂと同様に開閉して硬貨を落下孔３０１ｃに落下させたり、落下させずに通過させたりする。搬送路本体７１には、落下孔３０１ｂと落下孔３０１ｃとの間に、第２入金搬送路３２で搬送中の硬貨が落下孔３０１ｂおよび金種振分ゲート４２ｂを通過して落下孔３０１ｃおよび金種振分ゲート４２ｃに至る際にこの硬貨を検知する硬貨検知センサ３０３ｃが設けられている。この硬貨検知センサ３０３ｃの検知結果と上記した硬貨検知センサ３０３ｂの検知結果とから、これらの間にある落下孔３０１ｂに硬貨が落下したか否かを検知する。
【００９６】
硬貨識別部３３側から４番目の落下孔３０１ｄおよび金種振分ゲート４２ｄは５円硬貨を対象硬貨として第２入金搬送路３２から落下させて選別するものである。金種振分ゲート４２ｄは、落下孔３０１ｄ内に設けられており、その硬貨識別部３３とは反対側に設けられた支軸３０２ｄを中心に回動可能となっている。金種振分ゲート４２ｄは、金種振分ゲート４２ａ〜４２ｃと同様に開閉して硬貨を落下孔３０１ｄに落下させたり、落下させずに通過させたりする。搬送路本体７１には、落下孔３０１ｃと落下孔３０１ｄとの間に、第２入金搬送路３２で搬送中の硬貨が落下孔３０１ｃおよび金種振分ゲート４２ｃを通過して落下孔３０１ｄおよび金種振分ゲート４２ｄに至る際にこの硬貨を検知する硬貨検知センサ３０３ｄが設けられている。この硬貨検知センサ３０３ｄの検知結果と上記した硬貨検知センサ３０３ｃの検知結果とから、これらの間にある落下孔３０１ｃに硬貨が落下したか否かを検知する。
【００９７】
硬貨識別部３３側から５番目の落下孔３０１ｅおよび金種振分ゲート４２ｅは５００円硬貨を対象硬貨として第２入金搬送路３２から落下させて選別するものである。金種振分ゲート４２ｅは、落下孔３０１ｅ内に設けられており、その硬貨識別部３３とは反対側に設けられた支軸３０２ｅを中心に回動可能となっている。金種振分ゲート４２ｅは、金種振分ゲート４２ａ〜４２ｄと同様に開閉して硬貨を落下孔３０１ｅに落下させたり、落下させずに通過させたりする。搬送路本体７１には、落下孔３０１ｄと落下孔３０１ｅとの間に、第２入金搬送路３２で搬送中の硬貨が落下孔３０１ｄおよび金種振分ゲート４２ｄを通過して落下孔３０１ｅおよび金種振分ゲート４２ｅに至る際にこの硬貨を検知する硬貨検知センサ３０３ｅが設けられている。この硬貨検知センサ３０３ｅの検知結果と上記した硬貨検知センサ３０３ｄの検知結果とから、これらの間にある落下孔３０１ｄに硬貨が落下したか否かを検知する。
【００９８】
落下孔３０１ｅおよび金種振分ゲート４２ｅの硬貨識別部３３とは反対側に、落下孔３０１ｆが設けられている。落下孔３０１ｆは、ゲートがなく常時硬貨を落下可能な開状態であり、硬貨識別部３３側に隣り合う落下孔３０１ｅが落下させる５００円硬貨よりも小径の５０円硬貨を対象硬貨として第２入金搬送路３２から落下させて選別する。搬送路本体７１には、落下孔３０１ｅと落下孔３０１ｆとの間に、第２入金搬送路３２で搬送中の硬貨が落下孔３０１ｅおよび金種振分ゲート４２ｅを通過して落下孔３０１ｆに至る際にこの硬貨を検知する硬貨検知センサ３０３ｆ（通過センサ）が設けられている。この硬貨検知センサ３０３ｆの検知結果と上記した硬貨検知センサ３０３ｅの検知結果とから、これらの間にある落下孔３０１ｅに硬貨が落下したか否かを検知する。また、この硬貨検知センサ３０３ｆの検知結果から末端の落下孔３０１ｆから硬貨が落下したか否かを検知する。落下孔３０１ｅおよび金種振分ゲート４２ｅが、硬貨識別部３３の識別結果に基づいて駆動されて対象硬貨を第２入金搬送路３２から選別する選別部となっており、落下孔３０１ｆが、落下孔３０１ｅおよび金種振分ゲート４２ｅの識別部２０２とは反対側に設けられてこれらで第２入金搬送路３２から選別する対象硬貨よりも小径の硬貨を第２入金搬送路３２から選別する選別部となっている。
【００９９】
第２入金搬送路３２には、図９に示すように落下孔３０１ａ〜３０１ｆを上方で覆う全体カバー３０５と、図１０〜図１２に示すように、落下孔３０１ｆをさらに上方で覆う上部カバー３０６とが設けられている。図１２に示すように、上部カバー３０６は、搬送路本体７１の落下孔３０１ｆよりも金種振分ゲート４２ｅとは反対側から金種振分ゲート４２ｅ側に延出して落下孔３０１ｆの上方を覆っている。全体カバー３０５は、第２入金搬送路３２で硬貨識別部３３側から搬送されてきた硬貨の移動、金種振分ゲート４２ａ〜４２ｅの開作動および落下孔３０１ａ〜３０１ｆへの硬貨の落下を阻害せずに落下孔３０１ａ〜３０１ｆを上方で覆う。上部カバー３０６は、第２入金搬送路３２で金種振分ゲート４２ｅ側から搬送されてきた硬貨の移動および落下孔３０１ｆへの落下を阻害せずに落下孔３０１ｆを上方で覆う。
【０１００】
全体カバー３０５には、図９に示すように、二つのガイド壁部３１０，３１１が設けられている。二つのガイド壁部３１０，３１１は、図８に示すように、搬送路本体７１の上面上に、落下孔３０１ａ〜３０１ｆを両側で挟むように設けられている。一方のガイド壁部３１０は直線状であり、他方のガイド壁部３１１は段付き形状となっている。ガイド壁部３１０，３１１は、落下孔３０１ａ〜３０１ｅおよび金種振分ゲート４２ａ〜４２ｅの幅方向の両側に配置された一対の平行な移動ガイド３１２ａ，３１２ａと、落下孔３０１ｆの幅方向の両側に配置された一対の平行な移動ガイド３１２ｆ，３１２ｆとを有している。
【０１０１】
一対の移動ガイド３１２ａ，３１２ａは、５００円硬貨の直径よりも広い間隔となっており、５００円硬貨およびこれより小径の１０円硬貨、１００円硬貨、５円硬貨、５０円硬貨および１円硬貨つまり全金種が通過可能となっている。一対の移動ガイド３１２ｆ，３１２ｆは、５０円硬貨の直径よりも広く、５００円硬貨の直径よりも狭い間隔となっており、５０円硬貨が通過可能となっている。詳しくは、一対の移動ガイド３１２ｆ，３１２ｆは、５０円硬貨の直径よりも広く、５円硬貨の直径よりも狭い間隔となっている。第２入金搬送路３２の終端部の落下孔３０１ｆは、正常に第２入金搬送路３２上を搬送されてきた５０円硬貨を良好に落下させるように、ガイド壁部３１０，３１１および上部カバー３０６で、水平方向および鉛直方向がともにガードされている。
【０１０２】
段付き形状のガイド壁部３１１は、移動ガイド３１２ａと移動ガイド３１２ｆとを繋ぐ規制ガイド３１３ａを有している。規制ガイド３１３ａは、落下孔３０１ｅおよび金種振分ゲート４２ｅと、落下孔３０１ｆとの間に設けられており、移動ガイド３１２ｆに近づくほどガイド壁部３１０との間隔が狭くなるように傾斜している。規制ガイド３１３ａは、ガイド壁部３１０との最大間隔が隣り合う移動ガイド３１２ａと同じで５００円硬貨の直径よりも広く、ガイド壁部３１０との最小間隔が隣り合う移動ガイド３１２ｆと同じで５００円硬貨の直径よりも狭く且つ５０円硬貨の直径よりも広い。これにより、規制ガイド３１３ａは、落下孔３０１ｆで落下する５０円硬貨の径よりも大径の５００円硬貨の落下孔３０１ｆ側への移動を規制する。ここで、規制ガイド３１３ａで落下孔３０１ｆ側への移動が規制されて停止した状態にある５００円硬貨は、硬貨検知センサ３０３ｆの鉛直上方で停止することになる。よって、硬貨検知センサ３０３ｆは、規制ガイド３１３ａで落下孔３０１ｆ側への移動が規制された状態の５００円硬貨を検知する。
【０１０３】
ここで、金種振分ゲート４２ａ〜４２ｅは、スタッカ４１ａ〜４１ｆと同様、硬貨識別部３３側の３つの金種振分ゲート４２ａ〜４２ｃが、入金・出金で取り扱う枚数が比較的多い金種である１円硬貨用、１０円硬貨用および１００円硬貨用のグループであり、金種振分ゲート４２ａ〜４２ｅの硬貨識別部３３とは反対側の残り２つの金種振分ゲート４２ｄ，４２ｅおよび落下孔３０１ｆは、入金・出金で取り扱う枚数が比較的少ない金種である５円硬貨用、５０円硬貨用および５００円硬貨用のグループであれば、順番は適宜設定可能である。但し、５円硬貨用、５０円硬貨用および５００円硬貨用の金種振分ゲート４２ｄ，４２ｅおよび落下孔３０１ｆのうち、最も硬貨識別部３３とは反対側の落下孔３０１ｆは、落下対象の硬貨よりも大径の硬貨を規制ガイド３１３ａで停止させることから、その硬貨識別部３３側に隣り合う金種振分ゲート４２ｅよりも小径の硬貨用となっている。つまり、上記のように落下孔３０１ｆが５０円硬貨用であれば、金種振分ゲート４２ｅは５円硬貨用および５００円硬貨用のいずれでも良く、落下孔３０１ｆが５円硬貨用であれば、金種振分ゲート４２ｅは５００円硬貨用となる。落下孔３０１ｆが５００円硬貨用に設定されることはない。落下対象の硬貨よりも大径の硬貨を規制ガイド３１３ａで停止させることから、落下孔３０１ｆは、５円硬貨用、５０円硬貨用および５００円硬貨用のうち最小径の５０円硬貨を落下させるのが好ましい。金種振分ゲート４２ａ〜４２ｃは、例えば、金種振分ゲート４２ａが１円硬貨用、金種振分ゲート４２ｂが１００円硬貨用、金種振分ゲート４２ｃが１０円硬貨用であっても良い。
【０１０４】
ここで、上記した第１入金搬送路３１、第２入金搬送路３２及び金種振分ゲート４２ａ〜４２ｅが、硬貨入金口２２に入れられた硬貨をスタッカ４１ａ〜４１ｆに搬送する入金搬送部４３を構成している。入金搬送部４３は硬貨処理部５に設けられており、よって硬貨処理部５を含む図２に示す本体部２に設けられている。
【０１０５】
図４に示すスタッカ４１ａ〜４１ｆは、それぞれが収納している硬貨を一枚ずつに分離して右方に繰り出すことになり、硬貨処理部５には、スタッカ４１ａ〜４１ｆの右方に、スタッカ４１ａ〜４１ｆから繰り出された硬貨を前方に搬送する中間搬送路４６が設けられている。この中間搬送路４６は、前後方向に長く硬貨入金口２２に硬貨を搬送可能となっており、スタッカ４１ａ〜４１ｆのそれぞれに対して直交する方向に延在している。硬貨処理部５には、中間搬送路４６から硬貨を落下させる開閉可能な出金口振分ゲート４７が、硬貨入金口２２とスタッカ４１ａとの間に設けられている。出金口振分ゲート４７は、閉状態では中間搬送路４６から硬貨を落下させることはなく、開作動時に中間搬送路４６から硬貨を落下させる。硬貨処理部５には、出金口振分ゲート４７の下方に、出金口振分ゲート４７で中間搬送路４６から落下させられた硬貨を硬貨出金口２５に搬送する出金搬送路４８が設けられている。
【０１０６】
硬貨処理部５には、スタッカ４１ａよりも前方に、バラ硬貨を収納すると共に、収納しているバラ硬貨を繰り出す予備収納庫５１が設けられている。予備収納庫５１は、前後方向に長い形状をなしており、中間搬送路４６の左側に、これと平行に並んで設けられている。予備収納庫５１は、スタッカ４１ａ〜４１ｆのそれぞれに対して直交する方向に延在している。
【０１０７】
硬貨処理部５には、硬貨入金口２２と出金口振分ゲート４７との間に、中間搬送路４６から硬貨を落下させる開閉可能な予備振分ゲート５２が設けられている。予備振分ゲート５２は、閉状態では中間搬送路４６から硬貨を落下させることはなく、開作動時に中間搬送路４６から硬貨を落下させる。中間搬送路４６は、予備振分ゲート５２から落下しなかった硬貨を末端から硬貨入金口２２に落下させる。硬貨処理部５には、予備振分ゲート５２の下方に、予備振分ゲート５２で中間搬送路４６から落下させられた硬貨を予備収納庫５１に案内する予備収納庫シュータ５３が設けられている。
【０１０８】
予備収納庫５１は、収納している硬貨を一枚ずつに分離して後方に繰り出すことになり、硬貨処理部５には、予備収納庫５１とスタッカ４１ａとの間に、予備収納庫５１から繰り出された硬貨を左右に振り分け搬送する振分搬送部５６が設けられている。この振分搬送部５６は、左右方向に長く、予備収納庫５１と直交し、スタッカ４１ａ〜４１ｆのそれぞれに対して平行する方向に延在している。振分搬送部５６は、予備収納庫５１から繰り出された硬貨を右方に搬送して中間搬送路４６のスタッカ４１ａと出金口振分ゲート４７との間位置に繰り出す。この振分搬送部５６の左方には、硬貨処理部５から下方に開口する繰出口５７が設けられており、振分搬送部５６は、予備収納庫５１から繰り出された硬貨を左方に搬送して繰出口５７に落下させる。このように振分搬送部５６が繰出口５７に落下させた硬貨は、硬貨処理部５つまり図２に示す本体部２から繰り出されて下方に落下する。
【０１０９】
ここで、図４に示す中間搬送路４６、出金搬送路４８、出金口振分ゲート４７、予備振分ゲート５２及び予備収納庫シュータ５３が、スタッカ４１ａ〜４１ｆから繰り出された硬貨を硬貨出金口２５、予備収納庫５１及び硬貨入金口２２に選択的に搬送する出金搬送部５８を構成している。出金搬送部５８は硬貨処理部５に設けられており、よって硬貨処理部５を含む図２に示す本体部２に設けられている。図４に示す振分搬送部５６は、予備収納庫５１から繰り出された硬貨を、出金搬送部５８及び繰出口５７に選択的に搬送する。その結果、予備収納庫５１は、出金搬送部５８で搬送される硬貨を収納可能であると共に、収納している硬貨を振分搬送部５６を介して出金搬送部５８に繰り出し可能となっている。
【０１１０】
硬貨識別部３３は、図５に示す搬送路本体７１の一部を構成するように設けられており、搬送ベルト７２で搬送されて通過する硬貨をその画像や材質から識別する。硬貨識別部３３は、硬貨が受け入れ可能な受入可能硬貨であるか、受け入れ不可な受入不可硬貨であるかを識別し、受入可能硬貨については金種を識別して計数する。
【０１１１】
リジェクト振分ゲート３６は、第２入金搬送路３２における第１入金搬送路３１と硬貨識別部３３との間位置に配置されており、閉状態では搬送路本体７１の一部を構成する。リジェクト振分ゲート３６は、開状態ではその硬貨識別部３３側が搬送路本体７１よりも上側に位置するように回動し、この状態で搬送ベルト７２によって硬貨識別部３３側から搬送路本体７１上を移動させられる硬貨を落下させる。リジェクト振分ゲート３６で第２入金搬送路３２から落下させられた硬貨は、リジェクトシュータ３７を介して硬貨リジェクト口２４に放出される。
【０１１２】
金種振分ゲート４２ａ〜４２ｅは、第２入金搬送路３２における硬貨識別部３３に対して第１入金搬送路３１とは反対側に直列状に配置されており、いずれも閉状態では搬送路本体７１の一部を構成する。金種振分ゲート４２ａ〜４２ｅは、いずれも開状態ではその硬貨識別部３３側が搬送路本体７１よりも上側に位置するように回動し、この状態で搬送ベルト７２により硬貨識別部３３側から搬送路本体７１上を移動する硬貨を落下させる。金種振分ゲート４２ａ〜４２ｅで第２入金搬送路３２から落下させられた硬貨は、スタッカ４１ａ〜４１ｆの対応するものに収納される。ここで、ＰＯＳレジ１１の制御部１８は、硬貨識別部３３の識別結果に基づいて、各スタッカ４１ａ〜４１ｆへの硬貨の入金量を把握する。
【０１１３】
スタッカ４１ａ〜４１ｆは、それぞれ、壁部７６と、壁部７６の下側に配置されて左右に延在する無端のベルトコンベア７７と、ベルトコンベア７７の上側に配置された分離ローラ７８とを有している。スタッカ４１ａ〜４１ｆは、それぞれ、壁部７６内の分離ローラ７８よりも左方のベルトコンベア７７上に、金種振分ゲート４２ａ〜４２ｅで振り分けられて落下孔３０１ａ〜３０１ｆから落下する硬貨を収納することになり、ベルトコンベア７７は、収納している硬貨を右方に搬送する。分離ローラ７８は、ベルトコンベア７７の搬送方向とは逆方向に対向部分を移動させることにより、ベルトコンベア７７上の硬貨を一枚ずつに分離する。ベルトコンベア７７は、分離ローラ７８で一枚ずつに分離された硬貨を更に右方に搬送する。スタッカ４１ａ〜４１ｆは、それぞれ、ベルトコンベア７７の右端位置に、ベルトコンベア７７及び分離ローラ７８で一枚ずつに分離されて搬送される硬貨を計数しつつ一枚ずつ中間搬送路４６に繰り出す繰出機構７９を有している。ここで、ＰＯＳレジ１１の制御部１８は、上記のように各スタッカ４１ａ〜４１ｆへの硬貨の入金量を把握しており、これと繰出機構７９の計数値とから、各スタッカ４１ａ〜４１ｆに収納されている硬貨の収納量を把握する。
【０１１４】
スタッカ４１ａ〜４１ｆの右側には、前後方向に延在する無端のベルトコンベア８１が設けられている。このベルトコンベア８１は、図６に示すようにスタッカ４１ａ〜４１ｆに近い部分が中間搬送路４６を構成する中間搬送路構成部８２となっており、スタッカ４１ａ〜４１ｆから遠い部分が出金搬送路４８を構成する出金搬送路構成部８３となっている。中間搬送路構成部８２のうちスタッカ４１ａ〜４１ｆに近い部分は、水平に配置されており、スタッカ４１ａ〜４１ｆから繰り出された硬貨を上面に受け入れる。中間搬送路構成部８２のうちスタッカ４１ａ〜４１ｆから遠い前側の部分は、前上がりに傾斜している。出金搬送路構成部８３は、中間搬送路構成部８２の前側の部分から段差状をなして下側に配置されて前方に延出している。
【０１１５】
ベルトコンベア８１の中間搬送路構成部８２の上側には、スタッカ４１ａ〜４１ｆよりも前側に分離ローラ８５が配置されている。分離ローラ８５は、中間搬送路構成部８２の搬送方向とは逆方向に対向部分を移動させることにより、中間搬送路構成部８２上の硬貨を一枚ずつに分離して前方に繰り出させる。ベルトコンベア８１の中間搬送路構成部８２及び分離ローラ８５は、中間搬送路４６を構成している。
【０１１６】
ベルトコンベア８１の中間搬送路構成部８２よりも前方には、分離ローラ８５で一枚ずつに分離されてベルトコンベア８１の中間搬送路構成部８２で前方に搬送されてきた硬貨を更に前方に搬送する通路８７及び搬送ベルト８８が設けられている。通路８７及び搬送ベルト８８は、中間搬送路構成部８２の前側で前後方向に延在しており、通路８７は、中間搬送路構成部８２の前上がりの部分の延長線上で前上がりに傾斜している。通路８７及び搬送ベルト８８は、ベルトコンベア８１の中間搬送路構成部８２から通路８７上に送り出された硬貨を搬送ベルト８８が上側から通路８７に押し付けて更に前方に搬送する。
【０１１７】
通路８７に出金口振分ゲート４７が設けられている。出金口振分ゲート４７は、閉状態では通路８７の一部を構成している。出金口振分ゲート４７は、開状態ではその中間搬送路構成部８２側が通路８７よりも上側に位置するように回動し、この状態でベルトコンベア８１の中間搬送路構成部８２により通路８７側に搬送される硬貨を落下させる。出金口振分ゲート４７で中間搬送路構成部８２から落下させられた硬貨は、ベルトコンベア８１の出金搬送路構成部８３上に落下する。
【０１１８】
予備振分ゲート５２は、通路８７の出金口振分ゲート４７よりも中間搬送路構成部８２とは反対側に設けられており、閉状態では通路８７の一部を構成している。予備振分ゲート５２は、開状態ではその中間搬送路構成部８２側が通路８７よりも上側に位置するように回動し、この状態で搬送ベルト８８により通路８７上を移動する硬貨を落下させる。予備振分ゲート５２で通路８７から落下させられた硬貨は、予備収納庫シュータ５３を介して図５に示す予備収納庫５１に落下する。
【０１１９】
図６に示す通路８７及び搬送ベルト８８は、出金口振分ゲート４７及び予備振分ゲート５２のいずれでも落下させなかった硬貨を末端位置から硬貨入金口２２を介して第１入金搬送路３１のベルトコンベア６１上に落下させる。
【０１２０】
ベルトコンベア８１の中間搬送路構成部８２及び分離ローラ８５に加えて、通路８７及び搬送ベルト８８が、スタッカ４１ａ〜４１ｆから繰り出された硬貨を硬貨入金口２２に搬送可能な中間搬送路４６を構成している。
【０１２１】
ベルトコンベア８１の出金搬送路構成部８３の上側には、分離ローラ９１が配置されている。分離ローラ９１は、出金搬送路構成部８３の搬送方向とは逆方向に対向部分を移動させることにより、出金搬送路構成部８３上の硬貨を一枚ずつに分離する。出金搬送路構成部８３は、分離ローラ９１で一枚ずつに分離された硬貨を前方に搬送する。
【０１２２】
ベルトコンベア８１の出金搬送路構成部８３よりも前方には、分離ローラ９１で一枚ずつに分離されてベルトコンベア８１の出金搬送路構成部８３で前方に搬送されてきた硬貨を更に前方に搬送する通路９２及び搬送ベルト９３が設けられている。通路９２及び搬送ベルト９３は、出金搬送路構成部８３の前側で前後方向に延在しており、出金搬送路構成部８３から通路９２上に送り出された硬貨を搬送ベルト９３が上側から通路９２に押し付けて更に前方に搬送する。通路９２及び搬送ベルト９３は、硬貨を末端位置から硬貨出金口２５に放出する。
【０１２３】
ベルトコンベア８１の出金搬送路構成部８３、分離ローラ９１、通路９２及び搬送ベルト９３が、出金口振分ゲート４７で中間搬送路４６から落下させられた硬貨を硬貨出金口２５に搬送する出金搬送路４８を構成している。この出金搬送路４８は、スタッカ４１ａ〜４１ｆから繰り出され中間搬送路４６で搬送されてきた硬貨を硬貨出金口２５に搬送する。
【０１２４】
図７に示すように、予備収納庫５１は、壁部９５と、壁部９５の下部に配置されて前後方向に延在する無端のベルトコンベア９６とを有している。ベルトコンベア９６は、その後側の部分が鉛直に近い角度で後ろ上がりに立ち上がっており、図示略の係止片で硬貨を一枚ずつ持ち上げて振分搬送部５６に繰り出す。これにより、予備収納庫５１は、硬貨を一枚ずつに分離して振分搬送部５６に繰り出す。
【０１２５】
振分搬送部５６は、図５に示すように、左右方向に延在するベルトコンベア９８と、その上側の分離ローラ９９と、ベルトコンベア９８と繰出口５７とを結ぶように延在する通路１００と、通路１００上で左右方向に延在する無端の搬送ベルト１０１とを有している。ベルトコンベア９８は、通路１００と中間搬送路４６のベルトコンベア８１とを結ぶように設けられており、予備収納庫５１よりも通路１００側に分離ローラ９９が設けられている。分離ローラ９９は、ベルトコンベア９８の通路１００側への搬送方向とは逆方向に対向部分を移動させることにより、ベルトコンベア９８上の硬貨を一枚ずつに分離することになり、ベルトコンベア９８は、分離ローラ９９で一枚ずつに分離された硬貨を通路１００側に搬送する。ベルトコンベア９８の他端側は、ベルトコンベア８１のスタッカ４１ａと分離ローラ８５との間位置に硬貨を繰り出すようになっている。通路１００には、搬送ベルト１０１で繰出口５７側に搬送される硬貨の金種を識別しつつ計数する繰出識別部１０２が設けられている。ここで、ＰＯＳレジ１１の制御部１８は、繰出識別部１０２の計数結果から、繰出口５７に落下する硬貨の在高を把握している。
【０１２６】
図１３に示すように、紙幣処理部６には、前側から順に、紙幣入金口２６、紙幣出金口２７、紙幣を収納可能な着脱式の紙幣カセット１１８、紙幣を収納するとともに収納した紙幣を紙幣出金口２７に出金させる複数具体的には四つの着脱不可な紙幣収納庫１２０，１２１，１２２，１２３が設けられている。紙幣カセット１１８は、紙幣収納庫１２０〜１２３からの紙幣を収納可能となっている。
【０１２７】
例えば、紙幣収納庫１２０〜１２２は、それぞれが単一金種収納用となっており、紙幣収納庫１２０には千円紙幣が収納され、紙幣収納庫１２１には五千円紙幣が収納され、紙幣収納庫１２２には万円紙幣が収納される。また、紙幣収納庫１２３は、金種混合収納用となっており、紙幣収納庫１２０〜１２２に収納しきれないオーバーフロー紙幣や流通量が少ない二千円紙幣が収納される。勿論、紙幣収納庫１２０〜１２３への収納パターンは、これに限らず、種々の設定が可能である。
【０１２８】
紙幣入金口２６、紙幣出金口２７、紙幣カセット１１８及び紙幣収納庫１２０〜１２３は、いずれも左右方向に長い横長の形状をなしており、すべて、長辺が上端及び下端で左右方向に沿う姿勢（横長の姿勢）の紙幣を受け入れるようになっている。
【０１２９】
上記した紙幣入金口２６、紙幣出金口２７、紙幣カセット１１８及び紙幣収納庫１２０〜１２３は、紙幣処理部６の内部の右側に寄せられて設けられており、これにより紙幣処理部６の内部の左側に設けられたスペースに、これら紙幣入金口２６、紙幣出金口２７、紙幣カセット１１８及び紙幣収納庫１２０〜１２３を接続させて紙幣のやり取りを行う紙幣搬送部１２７が配置されている。なお、この紙幣搬送部１２７も紙幣を常に長辺が上端及び下端となる姿勢で搬送する。
【０１３０】
紙幣搬送部１２７は、紙幣入金口２６と紙幣収納庫１２３とを結ぶ主搬送路１２８と、主搬送路１２８の紙幣出金口２７の近傍から分岐して紙幣出金口２７に接続される分岐搬送路１２９と、主搬送路１２８の紙幣カセット１１８の近傍から分岐して紙幣カセット１１８に接続される分岐搬送路１３０と、主搬送路１２８の紙幣収納庫１２０の近傍から分岐して紙幣収納庫１２０に接続される分岐搬送路１３２と、主搬送路１２８の紙幣収納庫１２１の近傍から分岐して紙幣収納庫１２１に接続される分岐搬送路１３３と、主搬送路１２８の紙幣収納庫１２２の近傍から分岐して紙幣収納庫１２２に接続される分岐搬送路１３４とを有している。
【０１３１】
紙幣搬送部１２７は、主搬送路１２８を介して紙幣収納庫１２０〜１２３側から搬送されてきた紙幣を、駆動状態で分岐搬送路１２９に案内して紙幣出金口２７に搬送させる一方、非駆動状態ではそのまま主搬送路１２８で搬送させる振分部１２９Ｇを有している。分岐搬送路１２９は、紙幣出金口２７に向けて回転して紙幣を紙幣出金口２７に送り込むローラ対１２９Ｒを有している。
【０１３２】
また、紙幣搬送部１２７は、主搬送路１２８を介して紙幣収納庫１２０〜１２３側から搬送されてきた紙幣を、駆動状態で分岐搬送路１３０に案内して紙幣カセット１１８に搬送させる一方、非駆動状態ではそのまま主搬送路１２８で搬送させる振分部１３０Ｇを有している。分岐搬送路１３０は、紙幣カセット１１８に向けて回転して紙幣を紙幣カセット１１８に送り込むローラ対１３０Ｒを有している。
【０１３３】
また、紙幣搬送部１２７は、主搬送路１２８を介して紙幣入金口２６側から搬送されてきた紙幣を、駆動状態で分岐搬送路１３２に案内して紙幣収納庫１２０に搬送させる一方、非駆動状態ではそのまま主搬送路１２８で搬送させる振分部１３２Ｇを有している。分岐搬送路１３２は、紙幣収納庫１２０に向けて回転して紙幣を紙幣収納庫１２０に送り込むローラ１３２Ｒａ，１３２Ｒｂを有している。紙幣収納庫１２０には、ローラ１３２Ｒａ，１３２Ｒｂに向けて紙幣を蹴り出す蹴出ローラ１２０Ｒが設けられている。一方のローラ１３２Ｒａは、紙幣収納庫１２０から紙幣を繰り出す際に回転し、他方のローラ１３２Ｒｂは、紙幣収納庫１２０から紙幣を繰り出す際には停止して紙幣を一枚ずつに分離する。
【０１３４】
また、紙幣搬送部１２７は、主搬送路１２８を介して紙幣入金口２６側から搬送されてきた紙幣を、駆動状態で分岐搬送路１３３に案内して紙幣収納庫１２１に搬送させる一方、非駆動状態ではそのまま主搬送路１２８で搬送させる振分部１３３Ｇを有している。分岐搬送路１３３は、紙幣収納庫１２１に向けて回転して紙幣を紙幣収納庫１２１に送り込むローラ１３３Ｒａ，１３３Ｒｂを有している。紙幣収納庫１２１には、ローラ１３３Ｒａ，１３３Ｒｂに向けて紙幣を蹴り出す蹴出ローラ１２１Ｒが設けられている。一方のローラ１３３Ｒａは、紙幣収納庫１２１から紙幣を繰り出す際に回転し、他方のローラ１３３Ｒｂは、紙幣収納庫１２１から紙幣を繰り出す際には停止して紙幣を一枚ずつに分離する。
【０１３５】
また、紙幣搬送部１２７は、主搬送路１２８を介して紙幣入金口２６側から搬送されてきた紙幣を、駆動状態で分岐搬送路１３４に案内して紙幣収納庫１２２に搬送させる一方、非駆動状態ではそのまま主搬送路１２８で搬送させる振分部１３４Ｇを有している。分岐搬送路１３４は、紙幣収納庫１２２に向けて回転して紙幣を紙幣収納庫１２２に送り込むローラ１３４Ｒａ，１３４Ｒｂを有している。紙幣収納庫１２２には、ローラ１３４Ｒａ，１３４Ｒｂに向けて紙幣を蹴り出す蹴出ローラ１２２Ｒが設けられている。一方のローラ１３４Ｒａは、紙幣収納庫１２２から紙幣を繰り出す際に回転し、他方のローラ１３４Ｒｂは、紙幣収納庫１２２から紙幣を繰り出す際には停止して紙幣を一枚ずつに分離する。
【０１３６】
また、主搬送路１２８は、紙幣収納庫１２３に向けて回転して紙幣を紙幣収納庫１２３に送り込むローラ１３５Ｒａ，１３５Ｒｂを有している。紙幣収納庫１２３には、ローラ１３５Ｒａ，１３５Ｒｂに向けて紙幣を蹴り出す蹴出ローラ１２３Ｒが設けられている。一方のローラ１３５Ｒａは、紙幣収納庫１２３から紙幣を繰り出す際に回転し、他方のローラ１３５Ｒｂは、紙幣収納庫１２３から紙幣を繰り出す際には停止して紙幣を一枚ずつに分離する。
【０１３７】
紙幣入金口２６は、主搬送路１２８に向けて紙幣を蹴り出す蹴出ローラ２６Ｒａと、蹴出ローラ２６Ｒａで蹴り出された紙幣を主搬送路１２８に繰り出す繰出ローラ２６Ｒｂと、繰出ローラ２６Ｒｂで繰り出される紙幣を、停止することにより一枚ずつに分離する分離ローラ２６Ｒｃとを有している。
【０１３８】
主搬送路１２８には、分岐搬送路１２９，１３０間に、紙幣を識別する紙幣識別部１４０が設けられている。
【０１３９】
図１４に示すように、補助収納庫３は、前方に開口する箱形の筐体部１５１と、筐体部１５１に対して前方に水平に引き出し可能に支持された第１収納ドロア１５２とを有する第１補助収納部１５３と、前方に開口する箱形の筐体部１５５と、筐体部１５５に対して前方に水平に引き出し可能に支持された第２収納ドロア１５６とを有する第２補助収納部１５７とを有している。第１収納ドロア１５２の前面には、ＬＥＤからなる第１表示ランプ１５８が設けられており、第２収納ドロア１５６の前面には、ＬＥＤからなる第２表示ランプ１５９が設けられている。
【０１４０】
第１補助収納部１５３は、筐体部１５１に第１収納ドロア１５２が押し込まれた閉状態では、第１収納ドロア１５２内への操作者によるアクセスが不可であり、第１収納ドロア１５２が筐体部１５１から引き出された開状態で、第１収納ドロア１５２内への操作者によるアクセスが可能となる。第１補助収納部１５３には、筐体部１５１に第１収納ドロア１５２を閉状態でロックする電磁ロックである第１ロック機構１６０が設けられている。この第１ロック機構１６０は、ＰＯＳレジ１１の制御部１８からの解除信号でロックが解除されることになり、ロックが解除されると、筐体部１５１から第１収納ドロア１５２を少し突出させる。これにより、筐体部１５１からの第１収納ドロア１５２の引き出しが可能になる。その後、第１収納ドロア１５２が筐体部１５１に押し込まれて閉状態になると第１ロック機構１６０は、自動的に第１収納ドロア１５２を筐体部１５１にロックする。
【０１４１】
第２補助収納部１５７も、第１補助収納部１５３と同様であり、筐体部１５５に第２収納ドロア１５６を閉状態でロックする電磁ロックである第２ロック機構１６１が設けられている。この第２ロック機構１６１も、ＰＯＳレジ１１の制御部１８からの解除信号でロックが解除されることになり、その後、第２収納ドロア１５６が筐体部１５５に押し込まれて閉状態になると自動的に第２収納ドロア１５６を筐体部１５５にロックする。
【０１４２】
第１補助収納部１５３の筐体部１５１の上板部１６４には、上方に開口して内外を連通させる導入口１６５が形成されており、この筐体部１５１上に図２に示すように硬貨処理部５が位置を合わせて載置されると、図１４に示す導入口１６５は、図５に示す硬貨処理部５の繰出口５７と水平方向の位置が合い、硬貨処理部５の繰出口５７から落下する全ての硬貨を、この導入口１６５から第１補助収納部１５３内に受け入れる。
【０１４３】
第１収納ドロア１５２には、この第１収納ドロア１５２が筐体部１５１に押し込まれた閉状態で、硬貨処理部５の繰出口５７から繰り出され導入口１６５に導入された硬貨を収納する回収硬貨収納トレー１６６が設けられている。回収硬貨収納トレー１６６は、上方開口の有底箱状であり、第１収納ドロア１５２に対して着脱可能に設けられている。
【０１４４】
次に、第２実施形態の貨幣処理装置１の各種処理について説明する。
【０１４５】
「入金処理」
ＰＯＳレジ１１において、バーコード読取部１４による商品バーコードの読み取り等で顧客が購入する商品の代金が確定し、入力操作部１２に入金操作が入力されると、ＰＯＳレジ１１の制御部１８は、貨幣処理装置１の硬貨入金口２２へ硬貨が投入されていれば、硬貨処理部５による硬貨入金処理を開始させることになり、貨幣処理装置１の紙幣入金口２６へ紙幣が投入されていれば、紙幣処理部６による紙幣入金処理とを開始させる。
【０１４６】
硬貨入金処理では、硬貨処理部５が、硬貨入金口２２の硬貨を第１入金搬送路３１のベルトコンベア６１及び分離ローラ６２で一枚ずつ分離して第２入金搬送路３２に繰り出し、第２入金搬送路３２の搬送路本体７１及び搬送ベルト７２で搬送しつつ閉状態のリジェクト振分ゲート３６を越えて硬貨識別部３３まで搬送し、硬貨識別部３３で識別させる。硬貨識別部３３では受け入れの可不可及び受入可能硬貨については金種を識別して計数し、この識別結果に基づき、受入不可硬貨を、搬送ベルト７２の逆転搬送とリジェクト振分ゲート３６の開作動とでリジェクトシュータ３７を介して硬貨リジェクト口２４に放出する入金リジェクト処理を行う。これにより、受入不可硬貨が硬貨リジェクト口２４に収容され、操作者は、この受入不可硬貨を硬貨リジェクト口２４から取り出すことができる。
【０１４７】
他方、硬貨識別部３３の識別結果に基づき、受入可能硬貨を、そのまま第２入金搬送路３２の下流側に移動させる。その結果、受入可能硬貨を、金種振分ゲート４２ａ〜４２ｅの対応するもので選別してスタッカ４１ａ〜４１ｆの対応する金種のものに収納する。つまり、１円硬貨は金種振分ゲート４２ａで落下させてスタッカ４１ａに収納し、１０円硬貨は金種振分ゲート４２ｂで落下させてスタッカ４１ｂに収納し、１００円硬貨は金種振分ゲート４２ｃで落下させてスタッカ４１ｃに収納し、５円硬貨は金種振分ゲート４２ｄで落下させてスタッカ４１ｄに収納し、５００円硬貨は金種振分ゲート４２ｅで落下させてスタッカ４１ｅに収納し、５０円硬貨は落下孔３０１ｆで落下させてスタッカ４１ｆに収納する。
【０１４８】
より具体的に、制御部１８は、例えば、硬貨識別部３３で検出された１円硬貨については、当該１円硬貨が硬貨識別部３３を通過したタイミングから所定時間経過後に１円硬貨用の金種振分ゲート４２ａを開作動させることによって、当該１円硬貨を落下孔３０１ａから落下させてスタッカ４１ａに収納する。その際に、制御部１８は、当該１円硬貨が硬貨検知センサ３０３ａを通過したタイミングで金種振分ゲート４２ａを閉作動させる。なお、硬貨識別部３３で１円硬貨が連続して検出されると、制御部１８は、先頭の１円硬貨が硬貨識別部３３を通過したタイミングから所定時間経過後に金種振分ゲート４２ａを開作動させ、その後、開状態を維持し、最後尾の１円硬貨が硬貨検知センサ３０３ａを通過したことを検知すると金種振分ゲート４２ａを閉作動させる。なお、硬貨識別部３３で兼用せずに１円硬貨用の開作動用のタイミングセンサを設けても良い。制御部１８は、硬貨識別部３３で検出された１円硬貨が硬貨検知センサ３０３ａを通過後、所定時間の間に硬貨検知センサ３０３ｂで検知されないことを確認することで、当該１円硬貨の落下孔３０１ａからの落下を検出する。
【０１４９】
制御部１８は、硬貨識別部３３で検出された１０円硬貨については、当該１０円硬貨が硬貨検知センサ３０３ａを通過したタイミングで１０円硬貨用の金種振分ゲート４２ｂを開作動させることによって、当該１０円硬貨を落下孔３０１ｂから落下させてスタッカ４１ｂに収納する。その際に、制御部１８は、当該１０円硬貨が硬貨検知センサ３０３ｂを通過したタイミングで金種振分ゲート４２ｂを閉作動させる。なお、硬貨識別部３３で１０円硬貨が連続して検出されると、制御部１８は、先頭の１０円硬貨が硬貨検知センサ３０３ａを通過したタイミングで金種振分ゲート４２ｂを開き、最後尾の１０円硬貨が硬貨検知センサ３０３ｂを通過したタイミングで金種振分ゲート４２ｂを閉じる。制御部１８は、硬貨識別部３３で検出された１０円硬貨が硬貨検知センサ３０３ｂを通過後、所定時間の間に硬貨検知センサ３０３ｃで検知されないことを確認することで、当該１０円硬貨の落下孔３０１ｂからの落下を検出する。
【０１５０】
制御部１８は、硬貨識別部３３で検出された１００円硬貨については、当該１００円硬貨が硬貨検知センサ３０３ｂを通過したタイミングで１００円硬貨用の金種振分ゲート４２ｃを開作動させることによって、当該１００円硬貨を落下孔３０１ｃから落下させてスタッカ４１ｃに収納する。その際に、制御部１８は、当該１００円硬貨が硬貨検知センサ３０３ｃを通過したタイミングで金種振分ゲート４２ｃを閉作動させる。この場合も、硬貨識別部３３で１００円硬貨が連続して検出されると、制御部１８は、先頭の１００円硬貨が硬貨検知センサ３０３ｂを通過したタイミングで金種振分ゲート４２ｃを開き、最後尾の１００円硬貨が硬貨検知センサ３０３ｃを通過したタイミングで金種振分ゲート４２ｃを閉じる。制御部１８は、硬貨識別部３３で検出された１００円硬貨が硬貨検知センサ３０３ｃを通過後、所定時間の間に硬貨検知センサ３０３ｄで検知されないことを確認することで、当該１００円硬貨の落下孔３０１ｃからの落下を検出する。
【０１５１】
制御部１８は、硬貨識別部３３で検出された５円硬貨については、当該５円硬貨が硬貨検知センサ３０３ｃを通過したタイミングで５円硬貨用の金種振分ゲート４２ｄを開作動させることによって、当該５円硬貨を落下孔３０１ｄから落下させてスタッカ４１ｄに収納する。その際に、制御部１８は、当該５円硬貨が硬貨検知センサ３０３ｄを通過したタイミングで金種振分ゲート４２ｄを閉作動させる。この場合も、硬貨識別部３３で５円硬貨が連続して検出されると、制御部１８は、先頭の５円硬貨が硬貨検知センサ３０３ｃを通過したタイミングで金種振分ゲート４２ｄを開き、最後尾の５円硬貨が硬貨検知センサ３０３ｄを通過したタイミングで金種振分ゲート４２ｄを閉じる。制御部１８は、硬貨識別部３３で検出された５円硬貨が硬貨検知センサ３０３ｄを通過後、所定時間の間に硬貨検知センサ３０３ｅで検知されないことを確認することで、当該５円硬貨の落下孔３０１ｄからの落下を検出する。
【０１５２】
制御部１８は、硬貨識別部３３で検出された５００円硬貨については、当該５００円硬貨が硬貨検知センサ３０３ｄを通過したタイミングで５００円硬貨用の金種振分ゲート４２ｅを開作動させることによって、当該５００円硬貨を落下孔３０１ｅから落下させてスタッカ４１ｅに収納する。その際に、制御部１８は、当該５００円硬貨が硬貨検知センサ３０３ｅを通過したタイミングで金種振分ゲート４２ｅを閉作動させる。この場合も、硬貨識別部３３で５００円硬貨が連続して検出されると、制御部１８は、先頭の５００円硬貨が硬貨検知センサ３０３ｄを通過したタイミングで金種振分ゲート４２ｅを開き、最後尾の５００円硬貨が硬貨検知センサ３０３ｅを通過したタイミングで金種振分ゲート４２ｅを閉じる。制御部１８は、硬貨識別部３３で検出された５００円硬貨が硬貨検知センサ３０３ｅを通過後、所定時間の間に硬貨検知センサ３０３ｆで検知されないことを確認することで、当該５００円硬貨の落下孔３０１ｅからの落下を検出する。
【０１５３】
制御部１８は、硬貨識別部３３で検出された５０円硬貨については、落下孔３０１ｆから落下させてスタッカ４１ｆに収納する。制御部１８は、硬貨識別部３３で検出された５０円硬貨が硬貨検知センサ３０３ｆを通過すると、当該５０円硬貨の落下孔３０１ｆからの落下を検出する。
【０１５４】
そして、制御信号ノイズ等の影響により金種振分ゲート４２ｅを開口するはずが開口せず、または開口動作が遅れるなどして、５００円硬貨が、その次の下流の落下孔３０１ｆに向けて移動してしまった場合等の金種振分ゲート４２ｅの動作不良発生時や、５００円硬貨が、これを落下させるべき落下孔３０１ｅを越えてオーバーランしてしまった場合等の搬送不良発生時に、振り分け不良となった５００円硬貨は、落下させるべき所定の落下孔３０１ｅを越えると、規制ガイド３１３ａによって落下孔３０１ｆの手前で停止させられて、落下させるべき所定の落下孔３０１ｅとは異なる落下孔３０１ｆに落下することが規制される。
【０１５５】
よって、常時開状態の５０円硬貨の落下孔３０１ｆへの５００円硬貨の落下を規制することができる。制御部１８は、硬貨検知センサ３０３ｆで所定時間以上連続して硬貨を検知すると、規制ガイド３１３ａで５００円硬貨が停止させられていると判断して、ベルトコンベア６１、搬送ベルト６４および搬送ベルト７２とを停止させ、図示略の表示部等に報知を行う。
【０１５６】
なお、このように、振り分け不良硬貨を硬貨検知センサ３０３ｆが検出した場合、制御部１８は搬送ベルト７２の回動動作を緊急停止させて、第２入金搬送路３２上を搬送する全ての硬貨を停止させても良いが、これに限らない。例えば、制御部１８は、振り分け不良硬貨の後続の第２入金搬送路３２上を搬送する全ての硬貨が硬貨識別部３３で５０円硬貨ではないと識別されたことを条件として、識別された硬貨を搬送して金種振分ゲート４２ａ〜４２ｅおよび落下孔３０１ａ〜３０１ｅに振り分けしきった後に通常停止させるようにしても良い。  
【０１５７】
制御部１８は、上述したように金種別の各スタッカ４１ａ〜４１ｆに収納されている硬貨の収納量を把握しており、入金処理で新たに入金された硬貨によってスタッカ４１ａ〜４１ｆのいずれかの収納量が、所定の適正上限量を超える場合、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして、全てのスタッカ４１ａ〜４１ｆの収納量を適正上限量以下に保つ。これにより、全てのスタッカ４１ａ〜４１ｆの収納量を、多くても、収納量が適正上限量となるニアフル状態に保つようにする。
【０１５８】
このようにスタッカ４１ａ〜４１ｆから中間搬送路４６に硬貨を繰り出させる場合、制御部１８は、出金口振分ゲート４７を閉状態のまま、予備振分ゲート５２を開状態として、ベルトコンベア８１の中間搬送路構成部８２及び搬送ベルト８８で硬貨を予備振分ゲート５２に向けて搬送する。すると、硬貨は、中間搬送路４６の分離ローラ８５で一枚ずつに分離された後、出金口振分ゲート４７を越えて予備振分ゲート５２の位置で中間搬送路４６から落下して予備収納庫シュータ５３を介して予備収納庫５１に収納される。このとき、制御部１８は、繰出機構７９の計数値から予備収納庫５１に収納された硬貨の金種別の入金量を把握している。
【０１５９】
ここで、上述したように、制御部１８は、振分搬送部５６で予備収納庫５１から繰出口５７に繰り出された硬貨の金種別の繰出量を把握しており、この金種別の繰出量と、上記の予備収納庫５１への硬貨の金種別の入金量とから予備収納庫５１に収納されている硬貨の金種別の収納量を把握している。入金処理で予備収納庫５１に入金された硬貨によって予備収納庫５１の収納量が所定の適正上限量を超える場合、予備収納庫５１からベルトコンベア９６によって、硬貨を振分搬送部５６に繰り出させて、振分搬送部５６のベルトコンベア９８及び搬送ベルト１０１によって、繰出口５７に向けて搬送する。そして、繰出識別部１０２の計数結果に基づいて適正上限量を超える分の硬貨を繰出口５７に落下させる。このようにして入金処理後の予備収納庫５１の収納量が適正上限量を超えないようにして適正上限量以下に保つ。振分搬送部５６から繰り出された硬貨は、繰出口５７及び図１４に示す導入口１６５を介して補助収納庫３の第１収納ドロア１５２の回収硬貨収納トレー１６６に収納される。制御部１８は、振分搬送部５６の繰出識別部１０２の識別結果から、本体部２から補助収納庫３へ繰り出した硬貨の金種別の繰出量を把握している。
【０１６０】
紙幣入金処理では、紙幣処理部６が、紙幣入金口２６の紙幣を一枚ずつ分離して主搬送路１２８に送り出し、主搬送路１２８で紙幣収納庫１２０〜１２３に向けて搬送し、紙幣識別部１４０で識別させる。紙幣識別部１４０では、受け入れの可不可及び受入可能紙幣についての金種が識別され、この識別結果に基づき、受入可能紙幣を、紙幣収納庫１２０〜１２３用の振分部１３２Ｇ〜１３４Ｇのうち該当する金種用のものを駆動して、金種の紙幣収納庫１２０〜１２３のうちの該当する金種のものに収納する。つまり、千円紙幣は、振分部１３２Ｇで分岐搬送路１３２に送り込み、ローラ１３２Ｒａ，１３２Ｒｂで紙幣収納庫１２０に収納する。また、五千円紙幣は、振分部１３３Ｇで分岐搬送路１３３に送り込み、ローラ１３３Ｒａ，１３３Ｒｂの駆動で紙幣収納庫１２１に収納する。更に、万円紙幣は、振分部１３４Ｇで分岐搬送路１３４に送り込み、ローラ１３４Ｒａ，１３４Ｒｂの駆動で紙幣収納庫１２２に収納する。更に、二千円紙幣及び紙幣収納庫１２０〜１２２に収納しきれないオーバーフロー紙幣は、ローラ１３５Ｒａ，１３５Ｒｂの駆動で紙幣収納庫１２３に収納する。
【０１６１】
他方、紙幣識別部１４０で入金不可と識別された紙幣は、主搬送路１２８の逆転駆動によって上記とは逆方向に搬送し、振分部１２９Ｇで分岐搬送路１２９に送り込んでローラ対１２９Ｒの駆動で紙幣出金口２７に搬送する。これにより、受入不可紙幣が紙幣出金口２７に収容され、操作者は、この受入不可紙幣を紙幣出金口２７から取り出すことができる。
【０１６２】
硬貨入金口２２の硬貨が、すべて、硬貨リジェクト口２４及びスタッカ４１ａ〜４１ｆのいずれかに搬送され、紙幣入金口２６の紙幣がすべて、紙幣収納庫１２０〜１２３及び紙幣出金口２７のいずれかに搬送されると、ＰＯＳレジ１１の制御部１８は、今回の入金処理において受け入れた硬貨及び紙幣の計数結果と、入金取消をするか、入金確定をするかの選択操作を促す表示とを入力表示部１３に表示させる。
【０１６３】
上記した入金取消をするか、入金確定をするかの問いに対して、操作者が、承認操作入力である入金確定の選択操作をＰＯＳレジ１１の入力操作部１２に入力すると、制御部１８は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。
【０１６４】
「入金返却処理」
他方、入金処理における上記した入金取消をするか、入金確定をするかの問いに対して、操作者が、取り消し操作入力である入金取消の選択操作をＰＯＳレジ１１の入力操作部１２に入力すると、制御部１８は、貨幣処理装置１の硬貨処理部５について、出金口振分ゲート４７を開状態にして、スタッカ４１ａ〜４１ｆのベルトコンベア７７を駆動し、入金された金額のうち硬貨部分を構成する返却硬貨を、スタッカ４１ａ〜４１ｆの対応するものから繰出機構７９で計数しつつ、中間搬送路４６のベルトコンベア８１の中間搬送路構成部８２上に繰り出させる。すると、ベルトコンベア８１の中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１６５】
また、制御部１８は、貨幣処理装置１の紙幣処理部６について、紙幣収納庫１２０〜１２２の対応するものから、入金された金額のうち紙幣部分を構成する返却紙幣を、分岐搬送路１３２〜１３４の対応するもの及び主搬送路１２８を介して紙幣出金口２７に搬送することになる。つまり、紙幣収納庫１２０から紙幣を繰り出す場合、紙幣を、蹴出ローラ１２０Ｒがローラ１３２Ｒａ，１３２Ｒｂに向けて蹴り出し、ローラ１３２Ｒｂで一枚に分離しながらローラ１３２Ｒａが分岐搬送路１３２に繰り出す。紙幣収納庫１２１から紙幣を繰り出す場合、紙幣を、蹴出ローラ１２１Ｒがローラ１３３Ｒａ，１３３Ｒｂに向けて蹴り出し、ローラ１３３Ｒｂで一枚に分離しながらローラ１３３Ｒａが分岐搬送路１３３に繰り出す。紙幣収納庫１２２から紙幣を繰り出す場合、蹴出ローラ１２２Ｒが紙幣をローラ１３４Ｒａ，１３４Ｒｂに向けて蹴り出し、ローラ１３４Ｒｂで一枚に分離しながらローラ１３４Ｒａが分岐搬送路１３４に繰り出す。このようにして紙幣収納庫１２０〜１２２の対応するものから繰り出された紙幣を主搬送路１２８で搬送し、振分部１２９Ｇで分岐搬送路１２９に導入して紙幣出金口２７に送り込む。
【０１６６】
入金された金額の硬貨部分を構成する返却硬貨が硬貨出金口２５に放出され、入金された金額の紙幣部分を構成する返却紙幣が紙幣出金口２７に放出されると、入金返却処理を終了することになり、操作者は、返却硬貨を硬貨出金口２５から、返却紙幣を紙幣出金口２７から取り出すことになる。
【０１６７】
「出金処理」
ＰＯＳレジ１１の制御部１８は、上記したように入金処理で受け入れた硬貨及び紙幣の合計金額から商品代金を減算して釣銭金額を算出し、釣銭がある場合には、釣銭金額を出金させるように貨幣処理装置１を制御する。
【０１６８】
制御部１８の制御により、貨幣処理装置１は、硬貨処理部５について、出金口振分ゲート４７を開状態にして、釣銭金額のうち硬貨部分を構成する出金硬貨を、スタッカ４１ａ〜４１ｆのベルトコンベア７７を駆動し、スタッカ４１ａ〜４１ｆの対応するものから繰出機構７９で計数しつつ、中間搬送路４６のベルトコンベア８１の中間搬送路構成部８２上に繰り出させる。すると、中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１６９】
また、貨幣処理装置１は、紙幣処理部６について、紙幣収納庫１２０，１２１の対応するものから、釣銭金額のうち紙幣部分を構成する出金紙幣を、入金返却処理と同様にして、分岐搬送路１３２，１３３の対応するもの及び主搬送路１２８を介して紙幣出金口２７に向けて搬送することになる。そして、主搬送路１２８で搬送される紙幣を、振分部１２９Ｇで分岐搬送路１２９に導入して紙幣出金口２７に送り込む。
【０１７０】
釣銭金額の硬貨部分を構成する出金硬貨が硬貨出金口２５に放出され、釣銭金額の紙幣部分を構成する出金紙幣が紙幣出金口２７に放出されると、出金処理を終了することになり、操作者は、出金硬貨を硬貨出金口２５から、出金紙幣を紙幣出金口２７から、それぞれ取り出すことになる。
【０１７１】
「内部硬貨補充処理」
出金処理後に、制御部１８は、金種別のスタッカ４１ａ〜４１ｆのいずれかの硬貨の収納量が、所定の適正下限量を下回る場合、つまり収納量が適正下限量であるニアエンド状態よりも少ない場合に、内部硬貨補充処理を行う。ここで、出金処理後にスタッカ４１ａ〜４１ｆのいずれかの収納量が適正下限量を下回る場合に自動的に内部硬貨補充処理を行うようにしても良く、ＰＯＳレジ１１の入力表示部１３に収納量がニアエンド状態よりも少ない状態にあることを表示し、入力操作部１２に内部硬貨補充処理の操作が入力された場合に限り内部硬貨補充処理を行うようにしても良い。ここで、制御部１８は、金種別のスタッカ４１ａ〜４１ｆの収納量にかかわらず、ＰＯＳレジ１１の入力操作部１２に操作が入力されると内部硬貨補充処理を実行する。
【０１７２】
内部硬貨補充処理では、制御部１８が、予備収納庫５１からベルトコンベア９６によって、硬貨を振分搬送部５６に繰り出させて、振分搬送部５６のベルトコンベア９８によって、中間搬送路４６に向けて搬送する。そして、出金口振分ゲート４７及び予備振分ゲート５２を閉状態のまま、ベルトコンベア８１の中間搬送路構成部８２及び搬送ベルト８８で硬貨を硬貨入金口２２に向けて搬送する。すると、硬貨は、出金口振分ゲート４７及び予備振分ゲート５２を越えて、中間搬送路４６の末端位置である通路８７の末端位置から落下して硬貨入金口２２内に落下する。
【０１７３】
更に、硬貨入金口２２の硬貨を第１入金搬送路３１のベルトコンベア６１及び分離ローラ６２で一枚ずつ分離して第２入金搬送路３２に繰り出し、第２入金搬送路３２で搬送しつつ硬貨識別部３３で金種を識別させる共に計数させる。この識別結果に基づき、硬貨を金種振分ゲート４２ａ〜４２ｅの対応するもので選別してスタッカ４１ａ〜４１ｆの対応する金種のものに収納する。そして、制御部１８は、全てのスタッカ４１ａ〜４１ｆの収納量が、適正下限量と適正上限量との間の所定の適正中間量以上になるか、適正下限量以上となってから所定時間が経過すると、予備収納庫５１からの硬貨の繰り出しを停止させる。
【０１７４】
ここで、このように予備収納庫５１からスタッカ４１ａ〜４１ｆに硬貨を補充する内部硬貨補充処理時に、スタッカ４１ａ〜４１ｆの補充が不要なものには、補充される硬貨によって収納量が、適正上限量を超える場合がある。このような場合、制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１７５】
全てのスタッカ４１ａ〜４１ｆの収納量が適正下限量と適正上限量との間の所定の適正中間量以上になるか、適正下限量以上となってから所定時間が経過するか、適正下限量以上とならずに所定時間が経過すると、制御部１８は、予備収納庫５１からの硬貨の繰り出しを停止させると共に、予備振分ゲート５２を開き、振分搬送部５６、中間搬送路４６、第１入金搬送路３１、第２入金搬送路３２上に硬貨がなくなると、内部硬貨補充処理を終了する。この内部硬貨補充処理では、硬貨を予備収納庫５１から中間搬送路４６を含む出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆに搬送する。
【０１７６】
なお、内部硬貨補充処理中に、５００円硬貨が、金種振分ゲート４２ｅを越えて、その次の下流の落下孔３０１ｆに向けて移動してしまった場合、落下させるべき所定の落下孔３０１ｅを越えると、規制ガイド３１３ａで停止させられて、落下させるべき所定の落下孔３０１ｅとは異なる落下孔３０１ｆに落下することが規制されることになる。制御部１８は、硬貨検知センサ３０３ｆで所定時間以上連続して硬貨を検知すると、規制ガイド３１３ａで５００円硬貨が停止させられていると判断して、ベルトコンベア７７、ベルトコンベア９６、ベルトコンベア９８、ベルトコンベア８１、搬送ベルト８８、ベルトコンベア６１、搬送ベルト６４および搬送ベルト７２を停止させて、図示略の表示部等に報知を行う。
【０１７７】
「硬貨精査処理」
硬貨精査処理時には、ＰＯＳレジ１１に、入力操作部１２を介して硬貨精査処理の操作入力が入力され、その際に、精査対象の金種が指定される。勿論、全金種の指定も可能である。硬貨精査処理の操作入力が入力されると、制御部１８は、その開始にあたって、予備収納庫５１が空の状態にあるか否かを判定する。
【０１７８】
予備収納庫５１が空の状態にあると、スタッカ４１ａ〜４１ｆのうち指定された今回精査対象の一つについての単一精査処理を行う。つまり、先ず、スタッカ４１ａ〜４１ｆのうち指定された今回精査対象の一つから、これが空になるまで、予備収納庫５１に硬貨を移動させる。すなわち、予備振分ゲート５２を開き、スタッカ４１ａ〜４１ｆのベルトコンベア７７を駆動し、スタッカ４１ａ〜４１ｆのうちの今回精査対象の一つから、繰出機構７９によって中間搬送路４６のベルトコンベア８１の中間搬送路構成部８２上に硬貨を繰り出させる。そして、ベルトコンベア８１で硬貨を予備振分ゲート５２に向けて搬送し、硬貨を、予備振分ゲート５２の位置で落下させ、予備収納庫シュータ５３を介して予備収納庫５１に収納させる。このようにして、今回精査対象の一つのスタッカから全ての硬貨を予備収納庫５１に移動させる。
【０１７９】
次に、制御部１８は、予備振分ゲート５２を閉じ、上記した内部硬貨補充処理と同様に、予備収納庫５１からベルトコンベア９６によって、硬貨を振分搬送部５６に繰り出させ、振分搬送部５６のベルトコンベア９８によって、中間搬送路４６に繰り出させる。そして、硬貨を、中間搬送路４６のベルトコンベア８１の中間搬送路構成部８２及び搬送ベルト８８で硬貨入金口２２に搬送し、硬貨入金口２２から、第１入金搬送路３１及び第２入金搬送路３２で搬送する。第２入金搬送路３２での搬送中に硬貨識別部３３で硬貨の金種を識別させ計数させる。この識別結果に基づき、硬貨を金種振分ゲート４２ａ〜４２ｅの対応するもので選別してスタッカ４１ａ〜４１ｆの対応する金種のものに収納する。硬貨は、基本的には今回精査対象の一つのスタッカに戻される。その際に、５００円硬貨が、金種振分ゲート４２ｅを越えて、その次の下流の落下孔３０１ｆに向けて移動してしまった場合、落下させるべき所定の落下孔３０１ｅを越えると、規制ガイド３１３ａで停止させられて、落下させるべき所定の落下孔３０１ｅとは異なる落下孔３０１ｆに落下することが規制されることになる。制御部１８は、硬貨検知センサ３０３ｆで所定時間以上連続して硬貨を検知すると、規制ガイド３１３ａで５００円硬貨が停止させられていると判断して、ベルトコンベア９６、ベルトコンベア９８、ベルトコンベア８１、搬送ベルト８８、ベルトコンベア６１、搬送ベルト６４および搬送ベルト７２を停止させ、図示略の表示部等に報知を行う。
【０１８０】
そして、制御部１８は、予備収納庫５１に収納されていた硬貨が全てスタッカ４１ａ〜４１ｆに収納されると、スタッカ４１ａ〜４１ｆのうち今回精査対象の一金種の硬貨についての硬貨識別部３３の計数結果を、スタッカ４１ａ〜４１ｆのうち今回精査対象の一金種のスタッカの収納量として、単一精査処理を終了する。
【０１８１】
スタッカ４１ａ〜４１ｆについて、指定された精査対象が複数ある場合（全指定を含む）、上記と同様の単一精査処理を順次行って、精査処理を終了する。つまり、精査処理は、硬貨を、スタッカ４１ａ〜４１ｆの対象の一つから、中間搬送路４６を含む出金搬送部５８に繰り出し、この出金搬送部５８で予備収納庫５１に搬送することにより、スタッカ４１ａ〜４１ｆの対象の一つから全ての硬貨を予備収納庫５１に移送した後、硬貨を予備収納庫５１から出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆの対象の一つに搬送する。
【０１８２】
他方、硬貨精査処理開始にあたって、予備収納庫５１が空の状態にない場合、制御部１８は、予備収納庫５１に収納されている硬貨の金種別の収納量と、各スタッカ４１ａ〜４１ｆの収納量とから、予備収納庫５１に収納されている全ての硬貨をスタッカ４１ａ〜４１ｆに上限収納量を超えずに収納可能であるか否かを判定する。
【０１８３】
上限収納量を超えずに収納可能である場合、予備収納庫５１に収納されている全ての硬貨をスタッカ４１ａ〜４１ｆに収納して予備収納庫５１を空にする全補充空化処理を行う。つまり、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｅの対応するもので選別してスタッカ４１ａ〜４１ｆの対応する金種のものに収納する。その際に、５００円硬貨が、金種振分ゲート４２ｅを越えて、その次の下流の落下孔３０１ｆに向けて移動してしまった場合、落下させるべき所定の落下孔３０１ｅを越えると、規制ガイド３１３ａで停止させられて、落下させるべき所定の落下孔３０１ｅとは異なる落下孔３０１ｆに落下することが規制されることになる。制御部１８は、硬貨検知センサ３０３ｆで所定時間以上連続して硬貨を検知すると、規制ガイド３１３ａで５００円硬貨が停止させられていると判断して、ベルトコンベア９６、ベルトコンベア９８、ベルトコンベア８１、搬送ベルト８８、ベルトコンベア６１、搬送ベルト６４および搬送ベルト７２を停止させ、図示略の表示部等に報知を行う。
【０１８４】
予備収納庫５１から全ての硬貨が繰り出され、振分搬送部５６、中間搬送路４６、第１入金搬送路３１及び第２入金搬送路３２に硬貨がなくなると、全補充空化処理を終了し、上記と同様の単一精査処理を、スタッカ４１ａ〜４１ｆのうち指定された精査対象のスタッカについて行って、精査処理を終了する。
【０１８５】
予備収納庫５１を空にする際に、予備収納庫５１に収納されている全ての硬貨をスタッカ４１ａ〜４１ｆに上限収納量を超えずに収納可能でない場合、制御部１８は、予備収納庫５１に収納されている硬貨の一部をスタッカ４１ａ〜４１ｆに収納する一部補充空化処理、及び、予備収納庫５１に収納されている全ての硬貨を補助収納庫３の回収硬貨収納トレー１６６に収納させる全回収予備収納庫空化処理のいずれか選択された一方の処理を行う。この選択は、ＰＯＳレジ１１の入力操作部１２への入力で行われるが、いずれか一方をデフォルトとして設定しておいても良い。
【０１８６】
一部補充空化処理では、制御部１８が、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｅの対応するもので選別してスタッカ４１ａ〜４１ｆの対応する金種のものに収納する。そして、スタッカ４１ａ〜４１ｆのいずれかにおいて、補充される硬貨によって収納量が適正上限量を超える場合、制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１８７】
一部補充空化処理開始後、所定時間が経過すると、制御部１８は、予備振分ゲート５２を開くと共に、振分搬送部５６の搬送方向を繰出口５７に向けた方向とし、硬貨を、振分搬送部５６のベルトコンベア９８及び搬送ベルト１０１で繰出口５７に落下させて、補助収納庫３の回収硬貨収納トレー１６６に収納させる。そして、予備収納庫５１、振分搬送部５６、中間搬送路４６、第１入金搬送路３１、第２入金搬送路３２上に硬貨がなくなると、制御部１８は、一部補充空化処理を終了し、上記と同様の単一精査処理を、スタッカ４１ａ〜４１ｆのうち指定された精査対象のスタッカについて順次行って、精査処理を終了する。
【０１８８】
一部補充空化処理中に、５００円硬貨が、金種振分ゲート４２ｅを越えて、その次の下流の落下孔３０１ｆに向けて移動してしまった場合、落下させるべき所定の落下孔３０１ｅを越えると、規制ガイド３１３ａで停止させられて、落下させるべき所定の落下孔３０１ｅとは異なる落下孔３０１ｆに落下することが規制されることになる。制御部１８は、硬貨検知センサ３０３ｆで所定時間以上連続して硬貨を検知すると、規制ガイド３１３ａで５００円硬貨が停止させられていると判断して、ベルトコンベア７７、ベルトコンベア９６、ベルトコンベア９８、ベルトコンベア８１、搬送ベルト８８、ベルトコンベア６１、搬送ベルト６４および搬送ベルト７２を停止させ、図示略の表示部等に報知を行う。
【０１８９】
全回収空化処理では、制御部１８が、硬貨を、予備収納庫５１からベルトコンベア９６によって振分搬送部５６に繰り出させ、振分搬送部５６のベルトコンベア９８及び搬送ベルト１０１で繰出口５７に落下させて、補助収納庫３の回収硬貨収納トレー１６６に収納させる。予備収納庫５１及び振分搬送部５６上に硬貨がなくなると、制御部１８は、全回収空化処理を終了し、上記と同様の単一精査処理を、スタッカ４１ａ〜４１ｆのうち指定された精査対象のスタッカについて順次行って、精査処理を終了する。
【０１９０】
「投入硬貨補充処理」
ＰＯＳレジ１１の入力操作部１２に投入硬貨補充処理の実行が入力されると、制御部１８は、補助収納庫３の第２補助収納部１５７の第２ロック機構１６１によるロックを解除すると共に第２表示ランプ１５９を点滅させる。すると、第２補助収納部１５７の筐体部１５５から第２収納ドロア１５６の引き出しが可能になり、操作者は、第２収納ドロア１５６を引き出して、補充に必要な金種の棒金を取り出し、棒金の包装を解いてバラ硬貨としバラ硬貨を硬貨入金口２２に投入する。第２収納ドロア１５６が筐体部１５５に押し込まれて閉状態になると、制御部１８は、硬貨入金口２２に投入された硬貨を上記した入金処理と同様にしてスタッカ４１ａ〜４１ｆに補充する投入硬貨補充処理を行う。つまり、硬貨入金口２２から繰り出された硬貨を、第１入金搬送路３１、第２入金搬送路３２で搬送しつつ硬貨識別部３３で識別させる。硬貨識別部３３の識別結果に基づき、受入不可硬貨を硬貨リジェクト口２４に放出する一方、受入可能硬貨を、金種振分ゲート４２ａ〜４２ｅの対応するもので選別してスタッカ４１ａ〜４１ｆの対応する金種のものに収納する。このときも、制御部１８は、投入硬貨補充処理で補充される硬貨によってスタッカ４１ａ〜４１ｆのいずれかの収納量が、所定の適正上限量を超える場合、適正上限量を超える分の硬貨を中間搬送路４６によって予備収納庫５１に収納して、全てのスタッカ４１ａ〜４１ｆの収納量を適正上限量以下に保つ。また、予備収納庫５１の収納量が、適正上限量を超える場合、予備収納庫５１の硬貨を振分搬送部５６によって補助収納庫３の回収硬貨収納トレー１６６に収納させて、予備収納庫５１の収納量を適正上限量に保つ。これにより、スタッカ４１ａ〜４１ｆの収納量から硬貨の補充量を厳密に検討しなくても済む。
【０１９１】
投入硬貨補充処理中に、５００円硬貨が、金種振分ゲート４２ｅを越えて、その次の下流の落下孔３０１ｆに向けて移動してしまった場合、落下させるべき所定の落下孔３０１ｅを越えると、規制ガイド３１３ａで停止させられて、落下させるべき所定の落下孔３０１ｅとは異なる落下孔３０１ｆに落下することが規制されることになる。制御部１８は、硬貨検知センサ３０３ｆで所定時間以上連続して硬貨を検知すると、規制ガイド３１３ａで５００円硬貨が停止させられていると判断して、ベルトコンベア７７、ベルトコンベア９６、ベルトコンベア９８、ベルトコンベア８１、搬送ベルト８８、ベルトコンベア６１、搬送ベルト６４および搬送ベルト７２を停止させ、図示略の表示部等に報知を行う。
【０１９２】
「出金口回収処理」
ＰＯＳレジ１１の入力操作部１２に出金口回収処理の実行が入力されると、制御部１８は、スタッカ４１ａ〜４１ｆ及び予備収納庫５１に収納されている硬貨を硬貨出金口２５に全て放出させる出金口回収処理を行う。スタッカ４１ａ〜４１ｆの硬貨については、出金処理と同様、出金口振分ゲート４７を開状態にして、スタッカ４１ａ〜４１ｆから繰り出して中間搬送路４６で搬送し、出金口振分ゲート４７から落下させて、出金搬送路４８の出金搬送路構成部８３及び搬送ベルト９３で硬貨出金口２５に放出させることになり、予備収納庫５１の硬貨については、予備収納庫５１から振分搬送部５６で中間搬送路４６に繰り出し、スタッカ４１ａ〜４１ｆからの硬貨と同様に硬貨出金口２５に放出させることになる。操作者は、硬貨出金口２５に放出された硬貨を回収する。
【０１９３】
「補助収納庫回収処理」
ＰＯＳレジ１１の入力操作部１２に補助収納庫回収処理の実行が入力されると、制御部１８は、補助収納庫３の第１収納ドロア１５２の第１ロック機構１６０がロック状態にあること、言い換えれば第１収納ドロア１５２が閉状態にあることを条件として、スタッカ４１ａ〜４１ｆ及び予備収納庫５１に収納されている硬貨を第１収納ドロア１５２の回収硬貨収納トレー１６６に収納する。つまり、制御部１８は、予備振分ゲート５２を開くと共に、予備収納庫５１及び振分搬送部５６の搬送方向を繰出口５７に向けた方向として、スタッカ４１ａ〜４１ｆの硬貨を中間搬送路４６から予備振分ゲート５２で予備収納庫５１に搬送する。これにより、スタッカ４１ａ〜４１ｆ及び予備収納庫５１の硬貨を補助収納庫３の回収硬貨収納トレー１６６に回収する。硬貨処理部５の硬貨が全て回収硬貨収納トレー１６６に搬送されると、制御部１８は、それまでロック状態にあった第１補助収納部１５３の第１ロック機構１６０のロックを解除し、第１収納ドロア１５２の第１表示ランプ１５８を点滅させる。操作者は、第１収納ドロア１５２を筐体部１５１から引き出し、露出した回収硬貨収納トレー１６６を第１収納ドロア１５２から取り外して硬貨を回収する。
【０１９４】
「紙幣補充処理」
ＰＯＳレジ１１の入力操作部１２に紙幣補充処理の実行が入力されると、制御部１８は、補助収納庫３の第２補助収納部１５７の第２ロック機構１６１によるロックを解除すると共に第２表示ランプ１５９を点滅させる。すると、第２補助収納部１５７の筐体部１５５から第２収納ドロア１５６の引き出しが可能になり、操作者は、第２収納ドロア１５６を引き出して、補充に必要な金種の紙幣を取り出し、紙幣入金口２６に投入する。第２収納ドロア１５６が筐体部１５５に押し込まれて閉状態になると、制御部１８は、紙幣入金口２６に投入された紙幣を上記した入金処理と同様にして紙幣収納庫１２０〜１２３に補充する紙幣補充処理を行う。
【０１９５】
以上に述べた第２実施形態によれば、金種振分ゲート４２ｅで、落下孔３０１ｅから落下させるべき対象の５００円硬貨が、この落下孔３０１ｅで落下することなく金種振分ゲート４２ｅの識別部２０２とは反対側の落下孔３０１ｆに向け移動しようとすると、規制ガイド３１３ａが落下孔３０１ｆで落下する５０円硬貨の径よりも大径の５００円硬貨の落下孔３０１ｆ側への移動を規制する。すなわち、落下孔３０１ｅの金種振分ゲート４２ｅで落下させるべき硬貨がこの金種振分ゲート４２ｅで落下しなかったとしても、この金種振分ゲート４２ｅの直後の規制ガイド３１３ａで移動を規制することができる。したがって、落下させるべき選別部である金種振分ゲート４２ｅとは異なる下流の選別部である落下孔３０１ｆに硬貨を落下させてしまうことを抑制することができる。
【０１９６】
また、金種振分ゲート４２ｅと落下孔３０１ｆとの間に設けられて、第２入金搬送路３２で搬送中の硬貨が金種振分ゲート４２ｅを通過して落下孔３０１ｆに至ることを検知する硬貨検知センサ３０３ｆが、規制ガイド３１３ａで移動が規制された硬貨を検知する。このように硬貨の通過を検知するセンサで振り分け不良硬貨の停止を検知するため、センサの数を減らすことができる。加えて、操作者に対して振り分け不良硬貨を検出したエラー状況の報知が明確に可能となる。すなわち規制ガイド３１３ａに当接した状態で停止し、且つ硬貨検知センサ３０３ｆ上に存在する振り分け不良硬貨の位置情報を明確に操作者に報知して、排除を促すことが可能となる。
【０１９７】
また、落下孔３０１ｆは常時開状態であるため、金種振分ゲート４２ｅで落下孔３０１ｅから落下させるべき対象の５００円硬貨が、落下孔３０１ｅで落下することなく金種振分ゲート４２ｅの識別部２０２とは反対側の落下孔３０１ｆに向け移動しようとすると、落下孔３０１ｆに落下しやすい。このため、規制ガイド３１３ａが落下孔３０１ｆで落下する５０円硬貨の径よりも大径の５００円硬貨の落下孔３０１ｆ側への移動を規制することによる効果が高い。
【０１９８】
また、搬送路２０１には、常時開状態の落下孔３０１ｆを上方で覆う上部カバー３０６が設けられているため、規制ガイド３１３ａで移動が規制された硬貨を手作業で取り出す際に、誤って落下孔３０１ｆに落としてしまうことを抑制できる。
【０１９９】
また、硬貨識別部３３側の３つの金種振分ゲート４２ａ〜４２ｃが、１円硬貨用、１０円硬貨用および１００円硬貨用のグループであり、硬貨識別部３３とは反対側の残り２つの金種振分ゲート４２ｄ，４２ｅ及び落下孔３０１ｆが、５円硬貨用、５０円硬貨用および５００円硬貨用のグループであるため、取り扱う枚数が比較的多い金種である１円硬貨用、１０円硬貨用および１００円硬貨用のグループが硬貨識別部３３に近くなり、取引に係る計数処理時間をより短くすることができる。
【０２００】
なお、１本の搬送路本体７１に別体のガイド壁部３１０，３１１を取り付けて規制ガイド３１３ａを設けても良く、１本の搬送路本体７１そのものに規制ガイド３１３ａを含むガイド壁部３１０，３１１を形成しても良い。
【０２０１】
一方のガイド壁部３１０を直線状にし他方のガイド壁部３１１を一方のガイド壁部３１０との間隔が硬貨識別部３３から離れるほど狭くなるように段付き形状としている。この場合、硬貨を搬送する搬送ベルト７２を、第２入金搬送路３２の上流から下流に向けて、直線状に形成される一方のガイド壁部３１０に近づくように、斜めに配置するようにしても良い。
【０２０２】
第２実施形態において、ベルトコンベア６１および搬送ベルト６４，７２を、正逆回転可能とし、本来落下すべき落下孔３０１ｅを通り過ぎてしまった５００円硬貨を、落下孔３０１ｅの硬貨識別部３３側まで戻し、再度、金種振分ゲート４２ｅで落下孔３０１ｅに落下させるようにしても良い。
【０２０３】
すなわち、硬貨を硬貨識別部３３から金種振分ゲート４２ａ〜４２ｅに向けて移動させる方向を正回転とし、硬貨を金種振分ゲート４２ａ〜４２ｅから硬貨識別部３３に向けて移動させる方向を逆回転とすると、制御部１８は、ベルトコンベア６１および搬送ベルト６４，７２の正回転中、規制ガイド３１３ａで落下孔３０１ａ側への移動が規制された５００円硬貨を硬貨検知センサ３０３ｆが検知すると、ベルトコンベア６１および搬送ベルト６４，７２を逆回転させて金種振分ゲート４２ｅよりも硬貨識別部３３側の硬貨入金口２２まで硬貨を移動させた後、ベルトコンベア６１および搬送ベルト６４，７２を正回転させて、上記と同様に振り分けを行う。すると、５００円硬貨が適正に振り分けられれば、落下孔３０１ｅから落下する。これにより、金種振分ゲート４２ｅの落下孔３０１ｅに落下させるべきであって金種振分ゲート４２ｅを通過してしまった５００円硬貨を落下孔３０１ｅに落下させることができる。
【０２０４】
第２実施形態の貨幣処理装置１によれば、金種別のスタッカ４１ａ〜４１ｆとは別に予備収納庫５１が設けられているため、スタッカ４１ａ〜４１ｆに収納しきれないオーバーフロー硬貨が発生しても、硬貨をスタッカ４１ａ〜４１ｆから繰り出して出金搬送部５８で搬送し予備収納庫５１に収納して、全てのスタッカ４１ａ〜４１ｆの収納量が過大になることを防ぐことができる。これにより、スタッカ４１ａ〜４１ｆの硬貨を適正量に保つために装置外に回収する頻度を減らすことができる。つまり、装置外に硬貨を回収することなくスタッカ４１ａ〜４１ｆが適正な状態で作動できる時間を長くできる。したがって、処理効率を向上可能となる。
【０２０５】
また、金種別のスタッカ４１ａ〜４１ｆとは別に予備収納庫５１が設けられているため、貨幣処理装置１内に金種別のスタッカ４１ａ〜４１ｆの収納容量よりも多い硬貨を収納することができる。そして、予備収納庫５１に収納されている硬貨を、予備収納庫５１から繰り出して出金搬送部５８、硬貨入金口２２及び入金搬送部４３で搬送し、硬貨識別部３３で識別してスタッカ４１ａ〜４１ｆに収納することができるため、硬貨を装置外から補充することなく装置内でスタッカ４１ａ〜４１ｆに補充することができる。よって、装置外から硬貨を補充することなくスタッカ４１ａ〜４１ｆが適正な状態で作動できる時間を長くできる。したがって、処理効率を向上可能となる。
【０２０６】
また、予備収納庫５１は、スタッカ４１ａ〜４１ｆから繰り出された硬貨を硬貨出金口２５及び硬貨入金口２２に選択的に搬送する出金搬送部５８の中間搬送路４６の硬貨を収納可能であると共に、この出金搬送部５８の中間搬送路４６に硬貨を繰り出し可能であるため、予備収納庫５１を設けても構成を簡素化できる。したがって、コスト増を抑制することができる。
【０２０７】
また、精査処理時には、硬貨をスタッカ４１ａ〜４１ｆのうちの対象の一つから出金搬送部５８の中間搬送路４６に繰り出し中間搬送路４６で予備収納庫５１に搬送することにより、この対象のスタッカから全ての硬貨を予備収納庫５１に移送した後、硬貨を予備収納庫５１から出金搬送部５８の中間搬送路４６に繰り出し中間搬送路４６で硬貨入金口２２に搬送し、更に硬貨入金口２２から入金搬送部４３の第１入金搬送路３１に繰り出し第１入金搬送路３１及び第２入金搬送路３２で搬送して硬貨識別部３３で識別した後、対象のスタッカに搬送することになる。これにより、対象のスタッカの硬貨を全て一旦出金口に繰り出し操作者による手作業で入金口に投入させて対象のスタッカに戻すといった、手間と時間が掛かる作業が不要となり、人の手を介さずに装置内で自動的に自己精査することができる。したがって、処理効率を向上可能となる。
【０２０８】
また、補充処理時には、硬貨を予備収納庫５１から出金搬送部５８の中間搬送路４６に繰り出し中間搬送路４６で硬貨入金口２２に搬送し、更に硬貨入金口２２から入金搬送部４３の第１入金搬送路３１に繰り出し第１入金搬送路３１及び第２入金搬送路３２で搬送して硬貨識別部３３で識別した後、スタッカ４１ａ〜４１ｆに搬送することになって、予備収納庫５１に収納している硬貨をスタッカ４１ａ〜４１ｆに補充することができる。よって、予め予備収納庫５１に硬貨を収納しておくことで、装置外から硬貨を補充しなくても、貨幣処理装置１内でスタッカ４１ａ〜４１ｆへの硬貨の補充が可能となり、スタッカ４１ａ〜４１ｆが適正な状態で作動できる時間を長くできる。したがって、処理効率を向上可能となる。
【０２０９】
また、振分搬送部５６が、予備収納庫５１から繰り出された硬貨を、出金搬送部５８及び補助収納庫３に選択的に搬送するため、補助収納庫３に搬送すれば、補助収納庫３に回収することができる。よって、予備収納庫５１の硬貨を、貨幣処理装置１内で補助収納庫３に回収することができるため、予備収納庫５１の収納量を適正量に保つために硬貨を貨幣処理装置１外に回収する頻度を減らすことができる。したがって、処理効率を更に向上可能となる。
【０２１０】
以上においては、硬貨の入出金を行う硬貨処理部５と紙幣の入出金を行う紙幣処理部６とを有する貨幣処理装置１を例にとり説明したが、硬貨処理部５及び紙幣処理部６のうちの硬貨処理部５のみを有し、硬貨及び紙幣のうち硬貨のみの入出金を行う貨幣処理装置にも適用可能である。この場合、例えば、補助収納庫３についても、硬貨処理部５から繰り出された硬貨を収納する回収硬貨収納トレー１６６を有する一つの第１補助収納部１５３のみを硬貨処理部５と組み合わせて設けることができる。
【０２１１】
なお、補助収納庫３は上記構成に限定されるものではなく、例えば、収納ドロアとして、本体部２からの硬貨を収納する回収硬貨収納部を有する一つの収納ドロアのみを有する補助収納庫や、ドロアがなく本体部２からの硬貨を収納する回収庫が筐体に着脱可能に設けられた補助収納庫を採用することも可能である。補助収納庫として従来公知の他のいずれのものを採用することも可能である。
【０２１２】
＜第３実施形態＞
本発明に係る硬貨処理装置の第３実施形態を図１５を参照して以下に説明する。
【０２１３】
第３実施形態は、硬貨を金種別に振り分ける振り分け処理を少なくとも行う硬貨処理装置４００となっている。第３実施形態の硬貨処理装置４００は、硬貨を搬送するベルトコンベア式の搬送路４０１と、搬送路４０１で搬送中の硬貨の金種を識別する識別部４０２と、識別部４０２の識別結果に基づいて駆動されることで対象硬貨を搬送路４０１から側方の金種別硬貨収納部４０５ａ〜４０５ｅに向け押し出して選別する複数のソレノイド式の押出部４０６ａ〜４０６ｅと、常時対象硬貨を搬送路４０１から側方の金種別硬貨収納部４０５ｆに向けて案内して選別するガイド部４０６ｆとを有している。
【０２１４】
搬送路４０１は、無端ベルトである搬送ベルト４１０と、搬送ベルト４１０の上面上に搬送ベルト４１０の幅方向の金種別硬貨収納部４０５ａ〜４０５ｆ側に配置された壁部４１１と、搬送ベルト４１０の幅方向の金種別硬貨収納部４０５ａ〜４０５ｆとは反対側に配置された壁部４１２とを有している。
【０２１５】
押出部４０６ａは、金種別硬貨収納部４０５ａと搬送路４０１の搬送方向の位置を合わせて設けられ、駆動され励磁状態となることで壁部４１２から突出する作動片４２１ａにより搬送ベルト４１０上の硬貨を選別し側方の壁部４１１の通過口４２２ａに押し出して金種別硬貨収納部４０５ａに収納させる。押出部４０６ｂは、金種別硬貨収納部４０５ｂと搬送路４０１の搬送方向の位置を合わせて設けられ、駆動され励磁状態となることで壁部４１２から突出する作動片４２１ｂにより搬送路４０１上の硬貨を選別し側方の壁部４１１の通過口４２２ｂに押し出して金種別硬貨収納部４０５ｂに収納させる。押出部４０６ｃは、金種別硬貨収納部４０５ｃと搬送路４０１の搬送方向の位置を合わせて設けられ、駆動され励磁状態となることで壁部４１２から突出する作動片４２１ｃにより搬送路４０１上の硬貨を選別し側方の壁部４１１の通過口４２２ｃに押し出して金種別硬貨収納部４０５ｃに収納させる。押出部４０６ｄは、金種別硬貨収納部４０５ｄと搬送路４０１の搬送方向の位置を合わせて設けられ、駆動され励磁状態となることで壁部４１２から突出する作動片４２１ｄにより搬送路４０１上の硬貨を選別し側方の壁部４１１の通過口４２２ｄに押し出し金種別硬貨収納部４０５ｄに収納させる。押出部４０６ｅは、金種別硬貨収納部４０５ｅと搬送路４０１の搬送方向の位置を合わせて設けられ、駆動され励磁状態となることで壁部４１２から突出する作動片４２１ｅにより搬送路４０１上の硬貨を選別し側方の壁部４１１の通過口４２２ｅに押し出し金種別硬貨収納部４０５ｅに収納させる。
【０２１６】
ガイド部４０６ｆは、金種別硬貨収納部４０５ｆと搬送路４０１の搬送方向の位置を合わせて設けられ、常時搬送ベルト４１０上の硬貨を側方に移動させて側方の壁部４１１の通過口４２２ｆに案内して金種別硬貨収納部４０５ｆに収納させる。
【０２１７】
ここで、硬貨処理装置４００も、１円硬貨、５円硬貨、１０円硬貨、５０円硬貨、１００円硬貨および５００円硬貨の全６金種の硬貨を金種混合の状態から金種別に振り分けるものである。
【０２１８】
押出部４０６ａ〜４０６ｅは、全金種数である６金種よりも一つ少ない５金種分設けられている。押出部４０６ａ〜４０６ｅは、最小径の１円硬貨を除く５円硬貨、１０円硬貨、５０円硬貨、１００円硬貨および５００円硬貨を大径のものから順に搬送路４０１から側方に選別するようになっている。
【０２１９】
最も識別部４０２側の押出部４０６ａは最大径の５００円硬貨を対象硬貨として搬送路４０１から側方に選別し通過口４２２ａを介して金種別硬貨収納部４０５ａに収納させる。搬送路４０１の上方には、識別部４０２と押出部４０６ａとの間に、識別部４０２を通過後、搬送路４０１で搬送中の硬貨が押出部４０６ａに至る際にこの硬貨を検知する硬貨検知センサ４２４ａ（通過センサ）が設けられている。硬貨検知センサ４２４ａは、押出部４０６ａの駆動および駆動解除のタイミングを計るものである。
【０２２０】
識別部４０２側から２番目の押出部４０６ｂは１０円硬貨を対象硬貨として搬送路４０１から側方に選別し通過口４２２ｂを介して金種別硬貨収納部４０５ｂに収納させる。押出部４０６ａと押出部４０６ｂとの間には、搬送路４０１で搬送中の硬貨が押出部４０６ａを通過して押出部４０６ｂに至る際にこの硬貨を検知する硬貨検知センサ４２４ｂ（通過センサ）が設けられている。硬貨検知センサ４２４ｂは、押出部４０６ｂの駆動および駆動解除のタイミングを計るものである。
【０２２１】
識別部４０２側から３番目の押出部４０６ｃは１００円硬貨を対象硬貨として搬送路４０１から側方に選別し通過口４２２ｃを介して金種別硬貨収納部４０５ｃに収納させる。押出部４０６ｂと押出部４０６ｃとの間には、搬送路４０１で搬送中の硬貨が押出部４０６ｂを通過して押出部４０６ｃに至る際にこの硬貨を検知する硬貨検知センサ４２４ｃ（通過センサ）が設けられている。硬貨検知センサ４２４ｃは、押出部４０６ｃの駆動および駆動解除のタイミングを計るものである。
【０２２２】
識別部４０２側から４番目の押出部４０６ｄは５円硬貨を対象硬貨として搬送路４０１から側方に選別し通過口４２２ｄを介して金種別硬貨収納部４０５ｄに収納させる。押出部４０６ｃと押出部４０６ｄとの間には、搬送路４０１で搬送中の硬貨が押出部４０６ｃを通過して押出部４０６ｄに至る際にこの硬貨を検知する硬貨検知センサ４２４ｄ（通過センサ）が設けられている。硬貨検知センサ４２４ｄは、押出部４０６ｄの駆動および駆動解除のタイミングを計るものである。
【０２２３】
識別部４０２側から５番目の押出部４０６ｅは５０円硬貨を対象硬貨として搬送路４０１から側方に選別し通過口４２２ｅを介して金種別硬貨収納部４０５ｅに収納させる。押出部４０６ｄと押出部４０６ｅとの間には、搬送路４０１で搬送中の硬貨が押出部４０６ｄを通過して押出部４０６ｅに至る際にこの硬貨を検知する硬貨検知センサ４２４ｅ（通過センサ）が設けられている。硬貨検知センサ４２４ｅは、押出部４０６ｅの駆動および駆動解除のタイミングを計るものである。
【０２２４】
押出部４０６ｅの識別部４０２とは反対側に、ガイド部４０６ｆが設けられている。ガイド部４０６ｆは、１円硬貨を対象硬貨として常時搬送路４０１から側方に選別し通過口４２２ｆを介して金種別硬貨収納部４０５ｆに収納させる。
【０２２５】
押出部４０６ａ〜４０６ｅが、識別部４０２の識別結果に基づいて駆動されて対象硬貨を搬送路４０１から選別する選別部となっており、ガイド部４０６ｆが、押出部４０６ａ〜４０６ｅの識別部４０２とは反対側に設けられてこれらで搬送路４０１から選別する対象硬貨よりも小径の硬貨を搬送路４０１から選別する選別部となっている。
【０２２６】
搬送路４０１には、押出部４０６ａ〜４０６ｅおよびガイド部４０６ｆとは反対側の壁部４１１に、規制ガイド４３１ａ〜４３１ｅが設けられている。規制ガイド４３１ａは、押出部４０６ａと押出部４０６ｂとの間に設けられており、壁部４１２との間隔が５００円硬貨の直径よりも狭く且つ１０円硬貨の直径よりも広い。これにより、規制ガイド４３１ａは、押出部４０６ｂで選別される１０円硬貨の径よりも大径の５００円硬貨の押出部４０６ｂ側への移動を規制する。ここで、規制ガイド４３１ａで停止させられた状態にある５００円硬貨は、硬貨検知センサ４２４ｂで検知される。
【０２２７】
規制ガイド４３１ｂは、押出部４０６ｂと押出部４０６ｃとの間に設けられており、壁部４１２との間隔が１０円硬貨の直径よりも狭く且つ１００円硬貨の直径よりも広い。これにより、規制ガイド４３１ｂは、押出部４０６ｃで選別される１００円硬貨の径よりも大径の１０円硬貨の押出部４０６ｃ側への移動を規制する。ここで、規制ガイド４３１ｂで停止させられた状態にある１０円硬貨は、硬貨検知センサ４２４ｃで検知される。
【０２２８】
規制ガイド４３１ｃは、押出部４０６ｃと押出部４０６ｄとの間に設けられており、壁部４１２との間隔が１００円硬貨の直径よりも狭く且つ５円硬貨の直径よりも広い。これにより、規制ガイド４３１ｃは、押出部４０６ｄで選別される５円硬貨の径よりも大径の１００円硬貨の押出部４０６ｄ側への移動を規制する。ここで、規制ガイド４３１ｃで停止させられた状態にある１００円硬貨は、硬貨検知センサ４２４ｄで検知される。
【０２２９】
規制ガイド４３１ｄは、押出部４０６ｄと押出部４０６ｅとの間に設けられており、壁部４１２との間隔が５円硬貨の直径よりも狭く且つ５０円硬貨の直径よりも広い。これにより、規制ガイド４３１ｄは、押出部４０６ｅで選別される５０円硬貨の径よりも大径の５円硬貨の押出部４０６ｅ側への移動を規制する。ここで、規制ガイド４３１ｄで停止させられた状態にある５円硬貨は、硬貨検知センサ４２４ｅで検知される。
【０２３０】
規制ガイド４３１ｅは、押出部４０６ｅとガイド部４０６ｆとの間に設けられており、壁部４１２との間隔が５０円硬貨の直径よりも狭く且つ１円硬貨の直径よりも広い。これにより、規制ガイド４３１ｅは、ガイド部４０６ｆで選別される１円硬貨の径よりも大径の５０円硬貨のガイド部４０６ｆ側への移動を規制する。ここで、規制ガイド４３１ｅで停止させられた状態にある５０円硬貨は、硬貨検知センサ４２４ｆで検知される。
【０２３１】
以上により、ガイド部４０６ｆは常時最小径の金種の１円硬貨を搬送路４０１から選別することになり、押出部４０６ａ〜４０６ｅが、識別部４０２の識別結果に基づいて駆動されて、搬送路４０１で搬送中の硬貨を金種別に大径のものから順次搬送路４０１から選別するように全金種数よりも一つ少なく設けられている。
【０２３２】
第３実施形態は、第１実施形態と同様に作動が制御される。
【符号の説明】
【０２３３】
１  貨幣処理装置（硬貨処理装置）
３２  第２入金搬送路（搬送路）
３３  硬貨識別部（識別部）
４２ｅ  金種振分ゲート（上流側選別部）
７１  搬送路本体
７２  搬送ベルト
２００，４００  硬貨処理装置
２０１，４０１  搬送路
２０２，４０２  識別部
２０４ａ〜２０４ｅ  落下孔（上流側選別部）
２０４ｂ〜２０４ｆ  落下孔（下流側選別部）
２０５ａ〜２０５ｅ  ゲート（上流側選別部）
２１１  搬送路本体
２１２  搬送ベルト
２２２ｂ〜２２２ｆ  硬貨検知センサ（通過センサ）
２２５，３０６  上部カバー
２３３ａ，３１３ａ  規制ガイド
３０１ｅ  落下孔（上流側選別部）
３０１ｆ  落下孔（下流側選別部）
３０３ｆ  硬貨検知センサ（通過センサ）
４０６ａ〜４０６ｅ  押出部（上流側選別部）
４０６ｂ〜４０６ｅ  押出部（下流側選別部）
４０６ｆ  ガイド部（下流側選別部）
４２４ａ〜４２４ｆ  硬貨検知センサ（通過センサ）
４３１ａ〜４３１ｅ  規制ガイド
【図１】
2018106264.tif 000003
【図２】
2018106264.tif 000004
【図３】
2018106264.tif 000005
【図４】
2018106264.tif 000006
【図５】
2018106264.tif 000007
【図６】
2018106264.tif 000008
【図７】
2018106264.tif 000009
【図８】
2018106264.tif 000010
【図９】
2018106264.tif 000011
【図１０】
2018106264.tif 000012
【図１１】
2018106264.tif 000013
【図１２】
2018106264.tif 000014
【図１３】
2018106264.tif 000015
【図１４】
2018106264.tif 000016
【図１５】
2018106264.tif 000017